(57)【特許請求の範囲】
【請求項１】
表表紙部、裏表紙部、前記表表紙部および前記裏表紙部を一体的に接続する背表紙部からなる表紙本体と、見出しの表された見出し材を前記表紙本体の外側から視認できる態様でその内部に保持するための見出し部とを備える表紙であって、
前記見出し部は、
前記表紙本体の外側表面から厚み方向に凹む態様で設けられ、
表紙本体の外側表面に形成される開口部と、見出し材をその内部に挿入するための間隙部と、凹部の底面となる下受け部とから構成され、
前記下受け部は、左右方向において位置決めするように見出し材の端縁を係止する舌状の係止部と、見出し材の裏面を支持する帯状の支持部を備え、
前記係止部は、見出し材保持部の内方に向けて突き出されており、
前記支持部は、表紙の高さ方向において、前記表表紙部及び前記裏表紙部と前記背表紙部とを接続する表紙接続部に沿って架設された、帯状体であり、
前記間隙部は、係止部と支持部との間において、前記表紙接続部に沿って設けられ、表紙接続部と交差する方向に向けて、背見出し材を、見出し保持部を構成する凹部の内側に差し込む間隙を備え、表紙本体を前記表紙接続部において折り曲げられるように間隙を形成された、表紙。
【請求項２】
前記見出し部は、前記見出し材を前記見出し部の内部に保持するために、前記見出し材の裏面と対向する位置に設けられる裏面側保持部と、前記見出し材を前記見出し部の内部に保持するために、前記見出し材の表面と対向する位置に設けられる表面側保持部を含み、
前記表紙本体の外側表面には、開口部が設けられ、
前記表面側保持部は、前記表紙本体の開口部をカバーするように設けられる被覆部材であって、前記被覆部材は、前記開口部の開口端縁に対応する形状の被覆部材端縁を有し、
前記開口端縁と前記被覆部材端縁とは、前記表紙本体の外側表面と前記被覆部材の外側表面とがフラットになるよう配設される、請求項１に記載の表紙。
【請求項３】
表表紙部、裏表紙部、並びに前記表表紙部および前記裏表紙部を一体的に接続する背表紙部からなる表紙本体と、見出しの表された見出し材を前記表紙本体の外側から視認できる態様でその内部に保持するための見出し部とを備える表紙であって、
前記見出し部は、前記背表紙部と、その両脇の前記表表紙部および前記裏表紙部に亘って設けられ、
見出し部を構成する裏面側保持部は、前記見出し材の裏面の略端辺を保持するために、前記表表紙部または前記裏表紙部の少なくとも一方に設けられる第１裏面側保持部と、
前記見出し材の裏面の略中央を保持するために、前記背表紙部に設けられる第２裏面側保持部とを含み、
前記見出し材の端辺には、少なくとも一つの見出し切欠き部が形成され、前記見出し切欠き部は、前記第１裏面側保持部の前記表紙本体の厚さ方向に延びる側面を挟むようにして前記見出し部の内部で位置決めされた、表紙。
【請求項４】
前記見出し切欠き部と、前記第１裏面側保持部の前記表紙本体の厚さ方向に延びる側面とは、前記表紙本体の高さ方向における寸法が同じかまたはほぼ同じである、請求項３に記載の表紙。
【請求項５】
前記見出し材は、二つ折りにされるための見出し折曲げ部と、前記見出し折曲げ部で二つ折りにされた一方の面に形成される把持部とをさらに有し、
前記見出し切欠き部は、前記見出し折曲げ部で二つ折りにされた他方の面に形成され、
前記把持部を把持して前記見出し材を前記表紙本体の見出し部に抜差しすることにより、前記見出し材の他方の面が前記表紙本体の表面に沿って移動して前記第１裏面側保持部の前記表紙本体の厚さ方向に延びる側面を前記見出し切欠き部で挟み込み、前記見出し材が前記見出し部の内部で位置決めされる、請求項４に記載の表紙。
【請求項６】
表紙本体と、見出しの表された見出し材を前記表紙本体の外側から視認できる態様でその内部に保持するための見出し部とを備える表紙の製造方法であって、
表表紙部と、裏表紙部と、背表紙部と、前記見出し材を前記見出し部の内部に保持するために、前記見出し材の裏面と対向する位置に設けられる裏面側保持部を形成するための切欠き部とを含む表紙本体を作製するステップと、
前記表紙本体をその外側表面から前記切欠き部の外側端縁を含む形状に熱圧することにより、前記切欠き部を変形させて前記表紙本体の外側表面から厚み方向に凹む態様に    形成するステップと、
表紙本体の外側表面に形成される開口部と、見出し材をその内部に挿入するための間隙部と、凹部の底面となる下受け部とを形成するステップを含み、
前記下受け部は、左右方向において位置決めするように見出し材の端縁を係止する舌状の係止部と、見出し材の裏面を支持する帯状の支持部を備え、
前記係止部は、見出し材保持部の内方に向けて突き出されており、
前記支持部は、表紙の高さ方向において、前記表表紙部及び前記裏表紙部と前記背表紙部とを接続する表紙接続部に沿って架設された、帯状体であり、
間隙部は、係止部と支持部との間において、前記表紙接続部に沿って設けられ、表紙接続部と交差する方向に向けて、背見出し材を、見出し保持部を構成する凹部の内側に差し込む間隙を備え、表紙本体を前記表紙接続部において折り曲げられるように間隙を形成された、表紙の製造方法。
【発明の詳細な説明】
【技術分野】
【０００１】
この発明は、表紙およびその製造方法に関し、特に、外部から見出しを視認するための見出し部を備える表紙およびその製造方法に関する。
【背景技術】
【０００２】
従来から、用紙などを綴じて収納するためのファイルやバインダが知られている。このようなファイルやバインダは、通常、表表紙部と、裏表紙部と、これら表表紙部および裏表紙部を一体的に接続する背表紙部とからなる表紙本体を備える。そして、この表紙本体の例えば背表紙部には、見出しの表された紙などの見出し材を収納するための見出し部を設けられたものがある。この見出し部の外側表面は、見出し材を外部から視認することを可能とするため、透明または半透明の部材（例えば、ポリプロピレンなどの熱可塑性合成樹脂など）で形成される。このような表紙が、例えば、特開２００４‐１７５０４５号公報（以下「特許文献１」という）や特開２００４−１２２４８５号公報（以下「特許文献２」という）に記載されている。
【０００３】
特許文献１には、背見出し用紙を配置するように設けた背見出し用紙配置部の高さ寸法を、所定の標準規格紙の長辺又は短辺の何れかの寸法に対応させたことを特徴とするファイルが開示されている。
また、特許文献２には、表表紙又は裏表紙の少なくとも一方に表紙面に沿ってポケットを形成する樹脂製カバーを配し、表表紙又は／及び裏表紙における樹脂カバーで覆われた面の範囲内に窓を設けた構成の表紙体が開示されている。
【先行技術文献】
【特許文献】
【０００４】
【特許文献１】特開２００４‐１７５０４５号公報
【特許文献２】特開２００４−１２２４８５号公報
【発明の概要】
【発明が解決しようとする課題】
【０００５】
特許文献１および特許文献２に記載された表紙は、上記のように構成されている。これらの表紙は、見出し部が表紙本体の外側表面にその端縁を溶着されて配設される。すなわち、特許文献１および特許文献２に記載の表紙の見出し部は、表紙本体の外側表面から飛び出した状態になる。このような表紙の見出し部は、外部の物体と接触する頻度が高くなってしまう。さらに、見出し部と表紙本体の境界部分に段差が形成され、この段差に外部の物体が引っ掛かってしまう。したがって、表紙全体として破れたり撓んだりし易く、十分な強度を有するものではないという問題があった。また、強度を高めるために、表紙本体から突設される鉄枠を端縁とする見出し部を備える表紙が知られている。しかしながら、鉄枠などの別部材を必要とするため、製造コストが高くなるという問題があった。
【０００６】
この発明は上記した問題に鑑みてなされたものであり、十分な強度を有するとともに、製造コストを低く抑えることのできる表紙およびその製造方法を提供することを目的とする。
【課題を解決するための手段】
【０００７】
この発明の請求項１に係る表紙は、表表紙部、裏表紙部、前記表表紙部および前記裏表紙部を一体的に接続する背表紙部からなる表紙本体と、見出しの表された見出し材を前記表紙本体の外側から視認できる態様でその内部に保持するための見出し部とを備える表紙であって、
前記見出し部は、
前記表紙本体の外側表面から厚み方向に凹む態様で設けられ、
表紙本体の外側表面に形成される開口部と、見出し材をその内部に挿入するための間隙部と、凹部の底面となる下受け部とから構成され、
前記下受け部は、左右方向において位置決めするように見出し材の端縁を係止する舌状の係止部と、見出し材の裏面を支持する帯状の支持部を備え、
前記係止部は、見出し材保持部の内方に向けて突き出されており、
前記支持部は、表紙の高さ方向において、前記表表紙部及び前記裏表紙部と前記背表紙部とを接続する表紙接続部に沿って架設された、帯状体であり、
前記間隙部は、係止部と支持部との間において、前記表紙接続部に沿って設けられ、表紙接続部と交差する方向に向けて、背見出し材を、見出し保持部を構成する凹部の内側に差し込む間隙を備え、表紙本体を前記表紙接続部において折り曲げられるように間隙を形成された、表紙である。
【０００８】
この発明の請求項２に係る表紙は、見出し部は、前記見出し材を前記見出し部の内部に保持するために、前記見出し材の裏面と対向する位置に設けられる裏面側保持部と、前記見出し材を前記見出し部の内部に保持するために、前記見出し材の表面と対向する位置に設けられる表面側保持部を含み、
前記表紙本体の外側表面には、開口部が設けられ、
前記表面側保持部は、前記表紙本体の開口部をカバーするように設けられる被覆部材であって、前記被覆部材は、前記開口部の開口端縁に対応する形状の被覆部材端縁を有し、前記開口端縁と前記被覆部材端縁とは、前記表紙本体の外側表面と前記被覆部材の外側表面とがフラットになるよう配設される、請求項１に記載の表紙である。
この発明の請求項３に係る表紙は、表表紙部、裏表紙部、並びに前記表表紙部および前記裏表紙部を一体的に接続する背表紙部からなる表紙本体と、見出しの表された見出し材を前記表紙本体の外側から視認できる態様でその内部に保持するための見出し部とを備える表紙であって、
前記見出し部は、前記背表紙部と、その両脇の前記表表紙部および前記裏表紙部に亘って設けられ、
見出し部を構成する裏面側保持部は、前記見出し材の裏面の略端辺を保持するために、前記表表紙部または前記裏表紙部の少なくとも一方に設けられる第１裏面側保持部と、
前記見出し材の裏面の略中央を保持するために、前記背表紙部に設けられる第２裏面側保持部とを含み、
前記見出し材の端辺には、少なくとも一つの見出し切欠き部が形成され、前記見出し切欠き部は、前記第１裏面側保持部の前記表紙本体の厚さ方向に延びる側面を挟むようにして前記見出し部の内部で位置決めされた、表紙である。
【０００９】
この発明の請求項４に係る表紙は、見出し切欠き部と、前記第１裏面側保持部の前記表紙本体の厚さ方向に延びる側面とは、前記表紙本体の高さ方向における寸法が同じかまたはほぼ同じである、請求項３に記載の表紙である。
この発明の請求項５に係る表紙は、見出し材は、二つ折りにされるための見出し折曲げ部と、見出し折曲げ部で二つ折りにされた一方の面に形成される把持部とをさらに有し、見出し切欠き部は、見出し折曲げ部で二つ折りにされた他方の面に形成され、把持部を把持して見出し材を表紙本体の見出し部に抜差しすることにより、見出し材の他方の面が表紙本体の表面に沿って移動して第１裏面側保持部の表紙本体の厚さ方向に延びる側面を見出し切欠き部で挟み込み、見出し材が見出し部の内部で位置決めされる、請求項４に記載の表紙である。
【００１０】
この発明の請求項６に係る表紙の製造方法は、表表紙部、裏表紙部、並びに表表紙部および裏表紙部を一体的に接続する背表紙部からなる表紙本体と、見出しの表された見出し材を前記表紙本体の外側から視認できる態様でその内部に保持するための見出し部とを備える表紙の製造方法であって、
表表紙部と、裏表紙部と、背表紙部と、前記見出し材を前記見出し部の内部に保持するために、前記見出し材の裏面と対向する位置に設けられる裏面側保持部を形成するための切欠き部とを含む表紙本体を作製するステップと、
前記表紙本体をその外側表面から前記切欠き部の外側端縁を含む形状に熱圧することにより、前記切欠き部を変形させて前記表紙本体の外側表面から厚み方向に凹む態様に    形成するステップと、
表紙本体の外側表面に形成される開口部と、見出し材をその内部に挿入するための間隙部と、凹部の底面となる下受け部とを形成するステップを含み、
前記下受け部は、左右方向において位置決めするように見出し材の端縁を係止する舌状の係止部と、見出し材の裏面を支持する帯状の支持部を備え、
前記係止部は、見出し材保持部の内方に向けて突き出されており、
前記支持部は、表紙の高さ方向において、前記表表紙部及び前記裏表紙部と前記背表紙部とを接続する表紙接続部に沿って架設された、帯状体であり、
間隙部は、係止部と支持部との間において、前記表紙接続部に沿って設けられ、表紙接続部と交差する方向に向けて、背見出し材を、見出し保持部を構成する凹部の内側に差し込む間隙を備え、表紙本体を前記表紙接続部において折り曲げられるように間隙を形成された、表紙の製造方法である。
好ましくは、見出し部の間隙部および第１裏面側保持部は、少なくとも表表紙部の側に設けられ、見出し材は、表表紙部の側に設けられた間隙部から見出し部に差し込まれ、且つ表表紙部の側に設けられた第１裏面側保持部の表紙本体の厚さ方向に延びる側面を挟むようにして見出し部の内部で位置決めされ、第１裏面側保持部は、見出し材の裏面を下受けするように表紙本体の高さ方向に突出する係止突出部を有する。
【発明の効果】
【００１１】
この発明に係る表紙の見出し部は、見出し材を見出し部の内部に保持するために、見出し材の裏面と対向する位置に設けられる裏面側保持部と、見出し材を自らの内部に挿入するための間隙部とを含み、裏面側保持部は、表紙本体の外側表面から厚み方向に凹む態様で設けられる。
このような構成を有する表紙の見出し部は、外部の物体と接触する頻度が低くなる。また、見出し部と表紙本体の境界部分に段差が形成されないため、外部の物体に引っ掛かることもない。その結果、表紙全体として破れたり撓んだりすることがない。また、強度を高めるために表紙本体から見出し部の端縁として鉄枠などの別部材を突設する必要もない。
以上により、十分な強度を有するとともに、製造コストを低く抑えることのできる表紙およびその製造方法を提供できる。
【図面の簡単な説明】
【００１２】
【図１】この発明の第１実施の形態に係る表紙を主要な構成とするファイルを閉じた状態を外側から見たときの斜視図である。
【図２】この発明の第１実施の形態に係る表紙を主要な構成とするファイルを見開いた状態を内側から見たときの斜視図である。
【図３】この発明の一実施形態に係る表紙を見開いた状態を外側から見たときの平面図である。
【図４】この発明の一実施形態に係る表紙を見開いた状態を内側から見たときの平面図である。
【図５】図４のＩ−Ｉ断面図、図４のＩＩ−ＩＩ断面図および図４のＩＩＩ−ＩＩＩ断面図である。
【図６】この発明に係る表紙の製造方法において、作製した平板状の表紙本体を内側表面から見た平面図である。
【図７】この発明の一実施形態に係る表紙の製造方法において、凹部を形成した表紙本体を内側表面から見た平面図である。
【図８】この発明の一実施形態に係る表紙の製造方法において、凹部の開口に透明シートを宛がった状態を内側表面から見た平面図である。
【図９】図８のＩＶ−ＩＶ断面図である。
【図１０】この発明の一実施形態に係る表紙の製造方法において、開口端縁と透明シート端縁とを溶着する溶着端縁を明示した平面図である。
【図１１】図１０のＶ−Ｖ断面図である。
【図１２】この発明の一実施形態に係る表紙の製造方法において、完成した表紙の背表紙部の内側表面に綴じ具を固定した状態を内側から見たときの斜視図である。
【図１３】この発明の第２実施の形態に係る表紙を主要な構成とするファイルを見開いた状態を内側から見たときの斜視図である。
【図１４】この発明の第２実施の形態に係る表紙を見開いた状態を外側から見たときの平面図である。
【図１５】この発明の第２実施の形態に係る表紙を見開いた状態を内側から見たときの平面図である。
【図１６】図１５のＶＩ−ＶＩ断面図およびＶＩＩ−ＶＩＩ断面図である。
【図１７】この発明の第２実施の形態に係る表紙の製造方法において、開口端縁と透明シート端縁とを溶着する溶着端縁を明示した平面図である。
【図１８】この発明の第３実施の形態に係る表紙を見開いた状態を外側から見たときの平面図である。
【図１９】この発明の第３実施の形態に係る表紙を見開いた状態を内側から見たときの平面図である。
【図２０】図１９のＶＩＩＩ−ＶＩＩＩ断面図およびＩＸ−ＩＸ断面図である。
【図２１】この発明の第３実施の形態に係る表紙の製造方法において、開口端縁と透明シート端縁とを溶着する溶着端縁を明示した平面図である。
【図２２】この発明の一実施形態の変形例に係る表紙を見開いた状態を外側から見たときの平面図である。
【図２３】この発明の実施の形態に係る表紙の見出し部に適した形状を有する第１変形見出し材の平面図である。
【図２４】この発明の第３実施の形態に係る表紙の見出し部に第１変形見出し材を収納した場合を表紙の内側から見たときの平面図である。
【図２５】この発明の実施の形態に係る表紙の見出し部に適した形状を有する第２変形見出し材の平面図である。
【図２６】この発明の第３実施の形態に係る表紙の見出し部に第２変形見出し材を収納した場合を表紙の内側から見たときの平面図である。
【図２７】この発明の第４の実施の形態に係る表紙を主要な構成とするファイルを閉じた状態を外側から見たときの斜視図である。
【図２８】この発明の第４の実施の形態に係るファイルを見開いた状態を内側から見たときの斜視図である。
【図２９】この発明の第４の実施の形態に係る表紙を見開いた状態を外側から見たときの平面図である。
【図３０】この発明の第４の実施の形態に係る表紙を見開いた状態を内側から見たときの平面図である。
【図３１】この発明の第４の実施の形態に係る表紙の見出し部周辺の拡大図であり、（Ａ）が見出し部全体周辺の拡大図、（Ｂ）が第１係止部周辺の拡大図、（Ｃ）が第２係止部周辺の拡大図である。
【図３２】この発明の第４の実施の形態に係る表紙を見開いた状態の図３１の断面図であり、（Ａ）はＩ−Ｉ断面図、（Ｂ）はＩＩ−ＩＩ断面図、（Ｃ）はＩＩＩ−ＩＩＩ断面図である。
【図３３】この発明の第４の実施の形態に係る第３変形見出し材を示す図であり、（Ａ）が第３見出し折曲げ線で折り曲げる前の平面図、（Ｂ）が第３見出し折曲げ線で折り曲げる様子を示した斜視図である。
【図３４】この発明の第４の実施の形態に係る第３変形見出し材を表紙本体の凹部に収納する際の様子を示す図であり、（Ａ）が第３変形見出し材を裏表紙部の側まで差し込んだ状態を示す図であり、（Ｂ）が第３変形見出し材を凹部に収納した状態を示す図である。
【図３５】この発明に係る表紙の製造方法において、作製した平板状の表紙本体を内側表面から見た平面図である。
【図３６】この発明の一実施形態に係る表紙の製造方法において、凹部を形成した表紙本体を内側表面から見た平面図である。
【図３７】この発明の一実施形態に係る表紙の製造方法において、図３６の見出し部周辺の拡大図である。
【図３８】この発明の一実施形態に係る表紙の製造方法において、凹部の開口に透明シートを宛がった状態を内側表面から見た平面図である。
【図３９】図３８のＶ−Ｖ断面図である。
【図４０】この発明の一実施形態に係る表紙の製造方法において、開口端縁と透明シート端縁とを溶着する溶着端縁を明示した平面図である。
【図４１】図４０のＶＩ−ＶＩ断面図である。
【図４２】この発明の一実施形態に係る表紙の製造方法において、完成した表紙の背表紙部の内側表面に綴じ具を固定した状態を内側から見たときの斜視図である。
【図４３】この発明の第５の実施の形態に係る表紙を主要な構成とするファイルを見開いた状態を内側から見たときの斜視図である。
【図４４】この発明の第５の実施の形態に係る表紙を見開いた状態を外側から見たときの平面図である。
【図４５】この発明の第５実施の形態に係る表紙を見開いた状態を内側から見たときの平面図である。
【図４６】この発明の第５の実施の形態に係る表紙の見出し部周辺の拡大図である。
【図４７】この発明の第５実施の形態に係る図４６の断面図であり、（Ａ）がＶＩＩ−ＶＩＩ断面図、（Ｂ）ＶＩＩＩ−ＶＩＩＩ断面図、（Ｃ）がＩＸ−ＩＸ断面図である。
【図４８】この発明の第５の実施の形態に係る第４変形見出し材を示す図であり、（Ａ）が第４見出し折曲げ線で折り曲げる前の平面図、（Ｂ）が第４見出し折曲げ線で折り曲げる様子を示した斜視図である。
【図４９】この発明の第５の実施の形態に係る見出し材を表紙本体の凹部に収納する際の様子を示す図であり、（Ａ）が第４変形見出し材を裏表紙部の側まで差し込んだ状態を示す図であり、（Ｂ）が第４変形見出し材を凹部に収納した状態を示す図である。
【図５０】この発明の第５実施の形態に係る表紙の製造方法において、開口端縁と透明シート端縁とを溶着する溶着端縁を明示した平面図である。
【図５１】この発明の第５実施の形態に係る表紙を見開いた状態を外側から見たときの平面図である。
【発明を実施するための形態】
【００１３】
＜ファイル２について＞
以下、この発明の実施の形態について図面を参照して説明する。図１は、この発明の第１実施の形態に係る表紙１０を主要な構成とするファイル２を閉じた状態を外側から見たときの斜視図である。また、図２は、このファイル２を見開いた状態を内側から見たときの斜視図である。なお、図２では、見た目の煩雑さを避けるため、図１に示す綴じ体たる複数枚の用紙５００を省略してある。
【００１４】
ファイル２は、複数枚の用紙５００を綴じて整理・保管するためのものである。ファイル２は、この発明に係る表紙１０と、表紙１０の内側に設けられる綴じ具３００とから構成される。そして、この発明に係る表紙１０は、表紙本体２０と、見出し部１５０とを備える。表紙本体２０は、表表紙部２２と、裏表紙部２４と、これら表表紙部２２および裏表紙部２４を一体的に接続する背表紙部２６とを含む。この表紙本体２０は、ポリプロピレンなどの熱可塑性合成樹脂で形成され、その外側表面６０が鏡面ピンドットエンボス加工されるとともに、内側表面７０が新スエード加工される。
この実施の形態に係る見出し部１５０は、背表紙部２６の上下方向の略中央と、その両脇の表表紙部２２および裏表紙部２４の略中央とに亘って一体的に設けられる。この見出し部１５０は、見出しの表された見出し材４００（例えば紙など）を表紙本体２０の外側から視認できる態様でその内部に保持するためのものである。この実施の形態に係る見出し部１５０の外側表面は、表面側保持部（および被覆部材）たる透明シート２００で構成される。透明シート２００は、平板状であり、透明または半透明の部材（例えば、ポリプロピレンなどの熱可塑性合成樹脂）で形成される。透明シート２００の外側表面２６０（すなわち、見出し部１５０の外側表面）と、表紙本体２０の外側表面６０とは、互いにフラットになるように配設される。したがって、この実施の形態に係る見出し部１５０は、従来の見出し部のように、表紙本体の外側表面から飛び出した状態にならない。
【００１５】
上記したように、この実施の形態に係る表紙１０は、見出し部１５０の外側表面と、表紙本体２０の外側表面とがフラットに配設される。したがって、見出し部１５０が外部の物体と接触する頻度が低くなる。また、従来の表紙と違い、見出し部１５０と表紙本体２０の境界部分に段差が形成されないため、外部の物体に引っ掛かることもない。その結果、表紙１０全体として破れたり撓んだりすることがない。また、強度を高めるために表紙本体２０から見出し部１５０の端縁として鉄枠などを突設する必要もない。以上により、この実施の形態にかかる表紙１０は、十分な強度を有するとともに、製造コストを低く抑えることができる。
【００１６】
＜綴じ具３００について＞
次に、この実施の形態に係る綴じ具３００について説明する。この実施の形態に係る綴じ具３００は、図２に示すように、背表紙部２６の内側表面に取り付けられる。綴じ具３００は、長手方向に延びる綴じ具本体３１０と、綴じ具本体３１０の上面に長手方向に並んで設けられる複数のリング部３１２とを含む。複数のリング部３１２それぞれは、その上端部で二股に開閉可能である。
綴じ具３００に複数枚の用紙５００を綴じるには、まず、複数のリング部３１２それぞれの上端部を二股に開いた状態にする。次に、二股に開いた複数のリング部１８４それぞれの先端部を、複数枚の用紙５００の対応する孔に通す。最後に、二股に開いたリング部３１２それぞれの上端部を閉じる。このようにして、綴じ具３００に複数枚の用紙５００が綴じられる。
【００１７】
＜表紙１０について＞
次に、図３〜図５を参照して、この実施の形態に係る表紙１０の詳細な構成について説明する。図３は、この実施の形態に係る表紙１０を見開いた状態を外側から見たときの平面図である。また、図４は、この実施の形態に係る表紙１０を見開いた状態を内側から見たときの平面図である。また、図５（Ａ）は、図４のＩ−Ｉ断面図、図５（Ｂ）は、図４のＩＩ−ＩＩ断面図、図５（Ｃ）は、図４のＩＩＩ−ＩＩＩ断面図である。
上記したように、表紙１０は、表紙本体２０と、見出し部１５０とを備える。表紙本体２０は、表表紙部２２と、裏表紙部２４と、これら表表紙部２２および裏表紙部２４を一体的に接続する背表紙部２６とを含む。図３および図４に二点鎖線で示すように、表表紙部２２と背表紙部２６とが上下方向に直線状に延びる表表紙接続部３２を境界として一体的に接続（形成）される。また、裏表紙部２４と背表紙部２６とが上下方向に直線状に延びる裏表紙接続部３４を境界として一体的に接続（形成）される。また、表紙本体２０には、表紙本体２０の厚み方向に凹む裏面側保持部たる凹部１００が形成される。この凹部１００は、表紙本体２０と一体的に形成される。
【００１８】
＜見出し部１５０について＞
この実施の形態に係る見出し部１５０は、上記した表紙本体２０に設けられる凹部１００と、この凹部１００の開口部１１０をカバーするように設けられる透明シート２００とから構成される。
【００１９】
＜透明シート２００について＞
この実施の形態に係る透明シート２００は、表表紙部２２にフラットに配設される表表紙透明シート２２２と、裏表紙部２４にフラットに配設される裏表紙透明シート２２４と、背表紙部２６にフラットに配設される背表紙透明シート２２６とを含む。より具体的には、この実施の形態に係る表紙本体２０と透明シート２００は、表表紙部２２の外側表面６０ａと表表紙透明シート２２２の外側表面２６０ａ、裏表紙部２４の外側表面６０ｂと裏表紙透明シート２２４の外側表面２６０ｂ、および背表紙部２６の外側表面６０ｃと背表紙透明シート２２６の外側表面２６０ｃがそれぞれフラットになるように配設される。
【００２０】
図３および図４に二点鎖線で示すように、表表紙透明シート２２２と背表紙透明シート２２６が、上下方向に直線状に延びる表表紙透明シート接続部２３２を境界として一体的に接続（形成）される。また、裏表紙透明シート２２４と背表紙透明シート２２６が、上下方向に直線状に延びる裏表紙透明シート接続部２３４を境界として一体的に接続（形成）される。透明シート２００の表表紙透明シート接続部２３２は、表紙本体２０の表表紙接続部３２と連続的に一直線状になる。同様に、裏表紙透明シート接続部２３４は、裏表紙接続部３４と連続的に一直線状になる。そして、表表紙接続部３２と表表紙透明シート接続部２３２が一体的に折り曲げられることにより、表表紙部２２が開閉される。また、同様に、裏表紙接続部３４と裏表紙透明シート接続部２３４が一体的に折り曲げられることにより、裏表紙部２４が開閉される。
【００２１】
透明シート２００は、凹部１００の開口部１１０の開口端縁１１２に対応する形状の透明シート端縁２１２を有する。そして、表紙本体２０の外側表面６０と透明シート２００の外側表面２６０（すなわち、見出し部１５０の外側表面）とがフラットになるように、開口端縁１１２と透明シート端縁２１２とが溶着される。
透明シート端縁２１２の全ての端辺は直線状である。すなわち、透明シート端縁２１２は、表紙１０を完全に見開いた状態のとき、上下方向に直線状に延びる互いに平行な第１透明シート端辺２１２ａおよび第２透明シート端辺２１２ｂと、幅方向に直線状に延びる互いに平行な第３透明シート端辺２１２ｃおよび第４透明シート端辺２１２ｄとで構成される。
【００２２】
＜凹部１００の構成（概要）について＞
見出し部１５０を形成する表紙本体２０の凹部１００は、表紙本体２０の外側表面６０に形成される開口部１１０と、見出し材４００をその内部に挿入するための間隙部８０と、凹部１００の底面となる下受け部１２０とから構成される。この実施の形態に係る開口部１１０は、表紙本体２０の厚み方向に穿設され、表紙本体２０に略矩形状の開口端縁１１２を有する。
開口端縁１１２の全ての端辺は直線状である。すなわち、開口端縁１１２は、表紙１０を完全に見開いた状態のとき、上下方向に直線状に延びる互いに平行な第１開口端辺１１２ａおよび第２開口端辺１１２ｂと、幅方向に直線状に延びる互いに平行な第３開口端辺１１２ｃおよび第４開口端辺１１２ｄとで構成される。
この実施の形態において、見出し材４００は、見出し部１５０に保持された状態において、表紙本体２０の第１開口端辺１１２ａ〜第４開口端辺１１２ｄにそれぞれ平行な端辺を有する。
【００２３】
＜間隙部８０および孔部８２について＞
この実施の形態に係る凹部１００の間隙部８０は、表紙本体２０の幅方向に一定の距離をおいて２つ設けられる。すなわち、間隙部８０は、表表紙接続部３２に上下方向に沿って、且つ幅方向に跨り、表表紙部２２および背表紙部２６に上下方向に延びる態様で設けられる第１間隙部８０ａと、裏表紙接続部３４に上下方向に沿って、且つ幅方向に跨り、裏表紙部２４および背表紙部２６に上下方向に延びる態様で設けられる第２間隙部８０ｂとを含む。
また、凹部１００には、孔部８２が２つ設けられる。孔部８２は、開口部１１０の開口端縁１１２の上側端縁の近傍で、凹部１００の上端辺に背表紙部２６の幅方向の中心線に跨って設けられる略矩形状または略円弧状の第１孔部８２ａと、同じく開口部１１０の開口端縁１１２の下側端縁の近傍で、凹部１００の下端辺に背表紙部２６の幅方向の中心線に跨って設けられる略矩形状または略円弧状の第２孔部８２ｂとを含む。
【００２４】
＜下受け部１２０について＞
また、この実施の形態に係る凹部１００の下受け部１２０は、表紙本体２０の幅方向に一定の距離（見出し紙４００の高さ方向の寸法に相当する寸法）をおいて、開口部１１０の開口端縁１１２の左右端縁の近傍に形成された４つの係止部と、表紙本体２０の上方から下方に亘って（見出し紙４００の幅方向の寸法に相当する寸法）連続して形成された１つの支持部とをあわせて、５つ設けられる。下受け部１２０の係止部は、第１間隙部８０ａの表表紙部２２側の上下方向に延びる端辺の上方部分に設けられる略矩形状または略円弧状の第１下受け部１２０ａと、同じく第１間隙部８０ａの表表紙部２２側の上下方向に延びる端辺の下方部分に設けられる略矩形状または略円弧状の第２下受け部１２０ｂと、第２間隙部８０ｂの裏表紙部２４側の上下方向に延びる端辺の上方部分に設けられる略矩形状または略円弧状の第３下受け部１２０ｃと、同じく第２間隙部８０ｂの裏表紙部２４側の上下方向に延びる端辺の下方部分に設けられる略矩形状または略円弧状の第４下受け部１２０ｄとによって形成される。下受け部１２０の支持部は、背表紙部２６の幅方向の中心線に沿って且つ跨り、且つ凹部１００の上端辺と下端辺を結ぶ態様で設けられる第５下受け部１２０ｅによって形成される。
【００２５】
下受け部１２０（すなわち、第１下受け部１２０ａ〜第５下受け部１２０ｅの全て）は、表紙本体２０の内側表面７０における間隙部８０に臨む端辺であって、開口部１１０の開口端辺１１２から表紙本体２０の厚み方向に突設される側面１２２と、この側面１２２の先端から屈曲して延びる底面１２４とから構成される。すなわち、下受け部１２０の側面１２２と、底面１２４と、凹部１００の開口部１１０（すなわち、下受け部１２０の外側表面）との間に空間が形成される。この空間の内部に、見出し材４００が保持される。
【００２６】
第１下受け部１２０ａと第２下受け部１２０ｂは同じ形状を有する。また、第３下受け部１２０ｃと第４下受け部１２０ｄとは、同じ形状を有する。そして、第１下受け部１２０ａの底面１２４ａ（および第２下受け部１２０ｂの底面１２４ｂ）は、第３下受け部１２０ｃの底面１２４ｃ（および第４下受け部１２０ｄの底面１２４ｄ）よりも平面視したときの面積が大きい。
【００２７】
第１下受け部１２０ａの底面１２４ａ（および第２下受け部１２０ｂの底面１２４ｂ）は、第１間隙部８０ａに臨む表表紙部２２側の上下方向に延びる開口端縁１１２の端辺から、背表紙部２６の幅方向の中心線に向かって延び、その先端部が表表紙接続部３２に至らない範囲に位置する。同じく、第３下受け部１２０ｃの底面１２４ｃ（および第４下受け部１２０ｄの底面１２４ｄ）は、第２間隙部８０ｂの裏表紙部２４側の上下方向に延びる開口端縁１１２の端辺から、背表紙部２６の幅方向の中心線に向かって延び、その先端部が裏表紙接続部３４に至らない範囲に位置する。
【００２８】
第５下受け部１２０ｅは、背表紙部２６の幅方向の中心線について対称な形状を有する。また、第５下受け部１２０ｅの表表紙部２２側の上下方向に延びる端辺は、表表紙接続部３２よりも背表紙部２６の中心線側に位置する。同様に、第５下受け部１２０ｅの裏表紙部２４側の上下方向に延びる端辺は、裏表紙接続部３４よりも背表紙部２６の中心線側に位置する。つまりは、第５下受け部１２０ｅは、平面視したとき、表表紙接続部３２と裏表紙接続部３４の間に位置する。
【００２９】
見出し材保持部（見出し部１５０）は、左右方向において位置決めするように見出し材（４００）の端縁を係止する舌状の係止部（第１下受け部１２０ａ〜第４下受け部１２０ｄ）と、見出し材（４００）の裏面を支持する帯状の支持部（第５下受け部１２０ｅ）を備え、前記係止部（第１下受け部１２０ａ〜第４下受け部１２０ｄ）は、見出し材保持部（見出し部１５０）の内方に向けて突き出されており、前記支持部（第５下受け部１２０ｅ）は、表紙の高さ方向において表紙接続部（表表紙接続部３２および裏表紙接続部３４）に沿って架設された、帯状体である。
間隙部（８０）は、係止部（第１下受け部１２０ａ〜第４下受け部１２０ｄ）と支持部（第５下受け部１２０ｅ）との間において、表紙接続部（表表紙接続部３２および裏表紙接続部３４）に沿って設けられ、表紙接続部（表表紙接続部３２および裏表紙接続部３４）と交差する方向に向けて、背見出し材を、見出し保持部（見出し部１５０）を構成する凹部（１００）の内側に見出し保持部（見出し部１５０）に差し込む間隙を備えている。
係止部（第１下受け部１２０ａ〜第４下受け部１２０ｄ）は、表紙本体（２０）の表紙接続部（表表紙接続部３２および裏表紙接続部３４）より幅方向において外側に形成され、支持部（第５下受け部１２０ｅ）は、表紙本体（２０）の表紙接続部（表表紙接続部３２および裏表紙接続部３４）より幅方向において内側に形成されている。
間隙部（８０）は、係止部（第１下受け部１２０ａ〜第４下受け部１２０ｄ）と支持部（第５下受け部１２０ｅ）との間に形成され、表紙本体（２０）を表紙接続部（表表紙接続部３２および裏表紙接続部３４）において折り曲げられるように間隙を形成される。
支持部（第５下受け部１２０ｅ）は、表紙（１０）の高さ方向にのびており、表紙本体（２０）の表紙接続部（表表紙接続部３２および裏表紙接続部３４）より幅方向において内側に形成される。
見出し材保持部（見出し部１５０）は、表紙本体（２０）に形成された、見出し紙４００を視認するための開口部（１１０）の内側に形成され、表紙本体（２０）の開口部（１１０）に配設された被覆部材（透明シート１２０）を通して、見出し材保持部（見出し部見出し部１５０）に保持された見出し材（４００）を視認するように形成される。
表紙本体（２０）の開口部（１１０）は、表紙本体（２０）の幅方向において左右に分かれた表紙接続部（表表紙接続部３２および裏表紙接続部３４）及び／又は背見出し材の幅方向において左右に分かれた見出し材（４００）の端縁に対応して直線状に形成される。
一方の係止部を構成する第１下受け部１２０ａと第２下受け部１２０ｂとは、表紙本体（２０）の幅方向において左右に分かれた表紙接続部（表表紙接続部３２および裏表紙接続部３４）及び／又は背見出し材の幅方向において左右に分かれた見出し材（４００）の端縁に対応して表紙本体（２０）の開口部（１１０）の一方の端縁の側及び／又は他方の端縁側に並列されている。
左右に分かれた係止部（第１下受け部１２０ａ〜第４下受け部１２０ｄ）は、表紙本体（２０）の高さ方向において上下に分かれて複数の係止体が直線状に並列されている。
他方の係止部を構成する第３下受け部１２０ｃと第４下受け部１２０ｄとは、表紙本体（２０）の幅方向において左右に分かれた表紙接続部（表表紙接続部３２および裏表紙接続部３４）及び／又は背見出し材の幅方向において左右に分かれた見出し材（４００）の端縁に対応して表紙本体（２０）の高さ方向において上下に分かれて複数の係止体が直線状に並列している。
支持部（第５下受け部１２０ｅ）は、表紙本体（２０）の幅方向において左右に分かれた表紙接続部（表表紙接続部３２および裏表紙接続部３４）及び／又は背見出し材の幅方向において左右に分かれた見出し材（４００）の端縁に対応して、その左右端縁が直線状に形成されている。
【００３０】
上記の通りであるため、図３および図４に示すように、表表紙接続部３２と連続的に一直線状になる表表紙透明シート接続部２３２が、第１下受け部１２０ａ（および第２下受け部１２０ｂ）と第５下受け部１２０ｅとの間を通るとともに、裏表紙接続部３４と連続的に一直線状になる裏表紙透明シート接続部２３４が、第３下受け部１２０ｃ（および第４下受け部１２０ｄ）と第５下受け部１２０ｅとの間を通る態様となる。
【００３１】
＜固定部９０について＞
背表紙部２６には、長手方向に延びる綴じ具３００を表紙本体２０に固定する固定手段たる鋲を通すための円形状の固定部９０が設けられる。固定部９０は、背表紙部２６の幅方向の中心線上であって、凹部１００の上端辺よりも上方の部分に設けられる第１固定部９０ａと、同じく背表紙部２６の幅方向の中心線上であって、凹部１００の下端辺よりも下方の部分に設けられる第２固定部９０ｂとを含む。すなわち、この実施の形態に係る綴じ具３００は、その長手方向の両端辺において固定手段たる鋲によって表紙本体２０に固定される。綴じ具３００は、背表紙部２６の内側表面における凹部１００の底面（すなわち、下受け部１２０の底面１２４）に被さるように設けられる。また、この固定部９０は、表紙本体２０の厚み方向に、凹部１００と同等またはそれ以上の深さまたはそれ以上に凹む態様で設けられる。
【００３２】
＜効果について＞
この実施の形態に係る見出し部１５０は、表紙本体２０の外側表面６０と、透明シート２００の外側表面（見出し部１５０の外側表面２６０）とがフラットになるように配設されるため、従来の見出し部のように表紙本体２０の外側表面６０から飛び出した状態にならない。したがって、見出し部１５０が外部の物体と接触する頻度が低くなる。さらに、見出し部１５０と表紙本体２０の境界部分に段差がないため、外部の物体に引っ掛かることもない。その結果、表紙１０全体として破れたり撓んだりすることがない。また、強度を高めるために表紙本体２０から鉄枠などを突設する必要もない。以上により、十分な強度を有するとともに、製造コストを低く抑えることができる。
【００３３】
また、この実施の形態に係る見出し部１５０を構成する凹部１００は、表紙本体２０と一体的に形成される。この構成により、より少ない部材で表紙１０を構成することができる。また、凹部１００は、上下方向に延びる間隙部８０（第１間隙部８０ａおよび第２間隙部８０ｂ）を有する。この構成により、表紙本体２０または見出し材４００を撓ませながら、見出し材４００を間隙部８０から見出し部１５０の内部に容易に挿入することができる。
【００３４】
また、透明シート２００と凹部１００の間に形成される空間に見出し材４００を保持することにより、確実に見出し材４００を保持することができる。より具体的には、まず、見出し材４００の表面に対向する位置に設けられる透明シート２００によって、見出し材４００の上方がカバーされる。さらに、見出し材４００の裏面に対向する位置に設けられる凹部１００の第１下受け部１２０ａの底面１２４ａ〜第４下受け部１２０ｄの底面１２４ｄに見出し材４００の裏面の四隅近傍が支持されるとともに、第５下受け部１２０ｅの底面１２４ｅに見出し材４００の裏面の幅方向の中央近傍が支持される。これにより、確実に見出し部１５０の内部に見出し材４００を保持することができる。
【００３５】
また、第１下受け部１２０ａの底面１２４ａ（および第２下受け部１２０ｂの底面１２４ｂ）を平面視したときの面積が、第３下受け部１２０ｃの底面１２４ｃ（および第４下受け部１２０ｄの底面１２４ｃ）のそれよりも大きいことにより、容易に見出し部１５０の内部に見出し材４００を挿入することができる。
より具体的には、表紙本体２０または見出し材４００を撓ませながら、見出し材４００を間隙部８０ｂから見出し部１５０の内部に挿入し、その後見出し材１５０の裏面を第１下受け部１２０ａの底面１２４ａ〜第５下受け部１２０ｅの底面１２４ｅに載置することを容易に行うことができる。
これは、第３下受け部１２０ｃの底面１２４ｃ（および第４下受け部１２０ｄの底面１２４ｃ）が小さいため、十分大きい第２間隙部８０ｂが確保され、支障なく第２間隙部８０ｂから見出し材４００を挿入できるためである。さらに、第１下受け部１２０ａの底面１２４ａ（および第２下受け部１２０ｂの底面１２４ｂ）が大きいため、見出し材４００の裏面と当接する面積が十分大きくなり、より安定して見出し材１５０を下受け部１２０の底面１２４に載置することができる。
【００３６】
また、この実施の形態に係る綴じ具３００のための固定部９０が表紙本体２０の厚み方向に凹部１００と同等またはそれ以上の深さに凹む態様で設けられることによる効果について説明する。この実施の形態に係る表紙本体２０をその内側から見ると、背表紙部２６の内側表面において、凹部１００が背表紙部２６の厚み方向に突出する態様になる。すなわち、綴じ具３００の下面が凹部１００の突出する上面（すなわち、下受け部１２０の底面１２４）に当接する。すると、綴じ具３００の下面と背表紙部２６の内側表面とが離間した状態になる。この状態では、綴じ具３００を鋲などの固定手段により背表紙部２６の内側表面に固定することが困難である。そこで、表紙本体２０の厚み方向に凹部１００と同等またはそれ以上の深さに凹む態様の（すなわち、背表紙部２６の内側表面において突出する態様の）固定部９０を設ける。この構成により、綴じ具３００の下面と固定部９０とが確実に当接するため、鋲などの固定手段を用いて容易に背表紙部２６の内側表面に綴じ具３００を固定することが可能となる。さらに、固定部９０の凹んだ部分に鋲の頭部が入り込むため、鋲の頭部が表紙本体２０の外側表面６０から飛び出した状態にならないという効果も奏する。
【００３７】
＜表紙１０の製造方法について＞
次に、図６〜図１２を参照して、この実施の形態に係る表紙１０の製造方法について説明する。まず、表表紙部２２と、裏表紙部２４と、背表紙部２６と、複数の切欠き部とを含む表紙本体を作製する。複数の切欠き部は、後に間隙部８０となるものであり、凹部１００、固定部９０を形成するために設けられる。
また、このとき、第１開口端辺１１２ａには、第１下受け部１２０ａの上下方向の両端辺それぞれが延長する態様で、切り込みが設けられるとともに、第２下受け部１２０ｂの上下方向の両端辺それぞれが延長する態様で、切り込みが設けられる。また、第２開口端辺１１２ｂには、第３下受け部１２０ｃの上下方向の両端辺それぞれが延長する態様で、切り込みが設けられるとともに、第４下受け部１２０ｄの上下方向の両端辺それぞれが延長する態様で、切り込みが設けられる。また、第３開口端辺１１２ｃには、第５下受け部１２０ｅの幅方向の両端辺それぞれが延長する態様で、切り込みが設けられる。また、第４開口端辺１１２ｄにも、第５下受け部１２０ｅの幅方向の両端辺それぞれが延長する態様で、切り込みが設けられる。
このときの表紙本体２０を内側表面７０から見た平面図を図６に示す。この平板状の表紙本体２０の作製は、トムソン加工により行うことができる。したがって、金型を用いて製造する場合に比べて、製造コストを低く抑えることができる。
【００３８】
次に、凹部１００の開口端縁１１２に対応する形状の透明シート端縁２１２を有する透明シート２００を作製する。この透明シート２００は、例えば、ポリプロピレンなどの熱可塑性合成樹脂によって形成される。
【００３９】
次に、表紙本体２０をその外側表面６０から切欠き部の外側端縁を含む形状に熱圧することにより、切欠き部を変形させて見出し材４００を見出し部１５０の内部に挿入するための間隙部８０を形成するとともに、表紙本体２０の外側表面６０から厚み方向に凹む態様の裏面側保持部たる凹部１００を形成する。このとき凹部１００は、間隙部８０（第１間隙部８０ａおよび第２間隙部８０ｂ）と、孔部８２（第１孔部８２ａおよび第２孔部８２ｂ）と、下受け部１２０（第１下受け部１２０ａ〜第５下受け部１２０ｅ）とを含んで形成される。また、凹部１００と同様に、固定部９０（第１固定部９０ａおよび第２固定部９０ｂ）を形成するための切欠きを中央にして円形状に表紙本体２０を熱圧する。このようにして、凹部１００と同様の深さに凹む固定部９０を形成する。なお、このとき、第１下受け部１２０ａ〜第５下受け部１２０ｅは、第１開口端辺１１２ａ〜第４開口端辺１１２ｄに設けた切り込み（切り刃）の開口部１１０とは反対側の端部から表紙本体２０の厚み方向に凹む。こうすることで、開口端縁１１２の下受け部１２０の部分に凹凸が形成されず、開口部１１０を綺麗な矩形状にすることが可能となる。このようにして作成された表紙本体２０をその内側表面７０から見た平面図を図７に示す。
【００４０】
次に、凹部１００の開口端縁１１２の内側に、透明シート２００の透明シート端縁２１２を対応させて宛がう。このときの様子を図８に示す。また、図８のＩＶ−ＩＶ断面図を図９に示す。このとき、凹部１００の開口部１１０は、透明シート２００と同等または幾分大きい面積を有し、且つ開口端縁１１２と透明シート端縁２１２とは互いに対応した形状を有する。したがって、凹部１００の開口部１１０に透明シート２００を宛がうと、図８に示すように、開口部１１０の内部に透明シート２００が綺麗に納まった状態になる。なお、このとき、図示するように、表紙本体２０の外側表面６０および透明シート２００の外側表面２６０が載置面に当接するように載置する。
【００４１】
次に、溶着端縁８８と透明シート端縁２１２とを、表紙本体２０の外側表面６０と、透明シート２００の外側表面２６０とがフラットになるように表紙本体２０の内側表面７０から溶着する。ここで、溶着端縁８８とは、図１０にハッチングして示す端縁のことである。すなわち、溶着端縁８８とは、開口部１１０の開口端縁１１２の一部であって、開口端縁１１２から下受け部１２０の側面１２２（すなわち、第１下受け部１２０ａの側面１２２ａ〜第５下受け部１２０ｅの側面１２０ｅ）が突設される部分を除いた端縁のことである。ここで、上記したように、凹部１００の開口部１１０は、透明シート２００と同等または幾分大きい面積を有し、且つ開口端縁１１２（および溶着端縁８８）と透明シート端縁２１２とは互いに対応した形状を有する。したがって、溶着を行う際に、溶着端縁８８と透明シート端縁２１２とが互いに沸き出して広がることにより繋がって一体化し、十分な強度で溶着しあうことが可能となる。
【００４２】
最後に、表紙本体２０を折り曲げて表表紙部２２、裏表紙部２４および背表紙部２６を形成する。より具体的には、表紙本体２０を表表紙接続部３２および第１下受け部１２０ａ（および第２下受け部１２０ｂ）と第５下受け部１２０ｅとの間で折り曲げるとともに、表紙本体２０を裏表紙接続部３４および第３下受け部１２０ｃ（および第４下受け部１２０ｄ）と第５下受け部１２０ｅとの間で折り曲げ、表表紙部２２、裏表紙部２４および背表紙部２６を形成する。上記のようにして、表紙本体２０の凹部１００に透明シート２００が溶着された表紙１０が完成する。
【００４３】
また、図１２に示すように、背表紙部２６の内側表面における凹部１００の底面（すなわち、下受け部１２０の底面１２４）に被さるように綴じ具３００を固定する。具体的には、表紙本体２０の凹部１００の上端辺よりも上方の部分に設けられる第１固定部９０ａと、凹部１００の下端辺よりも下方の部分に設けられる第２固定部９０ｂとを通して、鋲により綴じ具３００の長手方向の両端部を固定する。このようにして、この実施の形態に係る表紙１０を主要な構成とするファイル２が完成する。
【００４４】
＜第２実施の形態について＞
次に、図１３〜図１７を参照して、この発明に係る表紙１０の第２実施の形態について説明する。上記した第１実施の形態の表紙１０では、背表紙部２６の内側表面に複数のリング部３１４を有する綴じ具３００が設けられた。一方で、この第２実施の形態の表紙１０では、いわゆるパンチレスの綴じ具３００が裏表紙部２４（における背表紙部２６の近傍）に設けられる。したがって、第２実施の形態に係る表紙１０は、このパンチレスの綴じ具３００に対応した構成の見出し部１５０や綴じ具３００のための固定部９０を有する。この点において、この第２実施の形態に係る表紙１０は、上記した第１実施の形態と異なる。なお、この第２実施の形態に係る表紙１０の、第１実施の形態の間隙部８０、固定部９０および下受け部１２０に対応する構成を除く他の構成は、上記した第１実施の形態と同じであるため、同一部分には同じ参照番号を付し、同様となる説明は繰り返さない。
【００４５】
図１３は、この第２実施の形態に係る表紙１０を主要な構成とするファイル２を見開いた状態を内側から見たときの斜視図である。上記したように、この実施の形態に係る表紙１０は、裏表紙部２４における背表紙部２６の近傍にいわゆるパンチレスの綴じ具３００が設けられる。
【００４６】
＜パンチレスの綴じ具３００について＞
ここで、パンチレスの綴じ具３００とは、背表紙部２６の延びる方向と表紙本体２０の厚み方向とが交わる平面において回動自在に設けられるレバー部と、このレバー部に設けられる係合部に係合して、レバー部を裏表紙部２４の内側表面の近傍において位置決めする係止部と、レバー部の回動操作に連動して表紙本体２０の厚み方向に移動し、複数枚の用紙４００をその上面から押さえつけるための押え部とを備える。
【００４７】
すなわち、この実施の形態に係るパンチレスの綴じ具３００に複数枚の用紙５００を綴じるには、次のような手順を行う。まず、レバー部を持ち上げられた状態（すなわち、裏表紙部２４の内側表面から離れた状態）にする。このとき、レバー部に連動して動作する押え部も裏表紙部２４から離れた状態になる。この状態の押え部の下面と裏表紙部２４の内側表面との間に、複数枚の用紙５００をその幅方向の端辺近傍を位置させて、裏表紙部２４の内側表面に載置する。次に、レバー部を回動させて裏表紙部２４の近傍まで引き下げる。そして、レバー部の係合部を係止具に係合させることにより、レバー部を裏表紙部２４の内側表面の近傍において位置決めする。このとき、レバー部に連動する押え部も裏表紙部２４の内側表面に向かって移動し、その下面が複数枚の用紙５００の上面を押さえつける。このようにして、複数枚の用紙５００は、綴じ具３００の押え部の下面と裏表紙部２４の内側表面との間に綴じられる。
【００４８】
＜第２実施の形態に係る表紙１０について＞
次に、図１４〜図１６を参照して、第２実施の形態に係る表紙１０の詳細な構成について説明する。図１４は、この実施の形態に係る表紙１０を見開いた状態を外側から見たときの平面図である。また、図１５は、この実施の形態に係る表紙１０を見開いた状態を内側から見たときの平面図である。また、図１６（Ａ）は、図１５のＶＩ−ＶＩ断面図であり、図１６（Ｂ）は、図１５のＩＩＶ−ＩＩＶ断面図である。
【００４９】
＜第２実施の形態に係る表紙本体２０について＞
この実施の形態に係る表紙本体２０は、上記した第１実施の形態と同様に、背表紙部２６の上下方向の略中央と、その両脇の表表紙部２２および裏表紙部２４の略中央とに亘って設けられる見出し部１５０を備える。また、見出し部１５０は、上記した第１実施の形態と同様に、表紙本体２０に設けられる凹部１００と、凹部１００の開口端縁１１２に溶着される透明シート２００とから構成される。
【００５０】
＜第２実施の形態に係る見出し部１５０について＞
この実施の形態に係る見出し部１５０は、幅方向の寸法が上記した第１実施の形態の見出し部１５０よりも小さい。
【００５１】
＜第２実施の形態に係る間隙部８０について＞
また、この実施の形態に係る間隙部８０は２つ設けられる。すなわち、間隙部８０は、図中２点鎖線で示す表表紙接続部３２に上下方向に沿って、且つ幅方向に跨り、表表紙部２２および背表紙部２６に設けられる上下方向に延びるこの実施の形態に係る第１間隙部１０８０ａと、同じく図中二点鎖線で示す裏表紙接続部３４に上下方向沿って幅方向に跨り、裏表紙部２４および背表紙部２６に設けられる上下方向に延びるこの実施の形態に係る第２間隙部１０８０ｂとを含む。この実施の形態に係る第１間隙部１０８０ａおよび第２間隙部１０８０ｂは、上記した第１実施の形態の第１間隙部８０ａ、第２間隙部８０ｂにそれぞれ対応する。なお、上記した第１実施の形態の孔部８２は存在しない。
【００５２】
＜第２実施の形態に係る下受け部１２０について＞
また、この実施の形態に係る下受け部１２０は３つ設けられる。すなわち、下受け部１２０は、第１間隙部１０８０ａの表表紙部２２側の上下方向に延びる端辺の上方部分に設けられる略矩形状または略円弧状のこの実施の形態に係る第１下受け部１１２０ａと、同じく第１間隙部１０８０ａの表表紙部２２側の上下方向に延びる端辺の下方部分に設けられる略矩形状または略円弧状のこの実施の形態に係る第２下受け部１１２０ｂと、背表紙部２６の幅方向の中心線に沿って跨り、且つ凹部１００の上端辺と下端辺を結ぶ態様で設けられるこの実施の形態に係る第３下受け部１１２０ｃとを含む。
【００５３】
この実施の形態に係る第１下受け部１１２０ａ、第２下受け部１１２０ｂおよび第３下受け部１１２０ｃは、上記した第１実施の形態の第１下受け部１２０ａ、第２下受け部１２０ｂおよび第５下受け部１２０ｅにそれぞれ対応する。なお、上記した第１実施の形態の第３下受け部１２０ｃおよび第４下受け部１２０ｄに対応する下受け部は存在しない。
【００５４】
すなわち、第１下受け部１１２０ａと第２下受け部１１２０ｂは同じ形状を有する。また、第１下受け部１１２０ａの底面１１２４ａ（および第２下受け部１１２０ｂの底面１１２４ｂ）は、第１間隙部１０８０ａの表表紙部２２側の上下方向に延びる端辺から、背表紙部２６の幅方向の中心線に向かって延び、その先端部は表表紙接続部３２に至らない範囲に位置する。
【００５５】
第３下受け部１１２０ｃは、背表紙部２６の幅方向の中心線について対称な形状を有する。また、第３下受け部１１２０ｃの表表紙部２２側の上下方向に延びる端辺は、表表紙接続部３２よりも背表紙部２６の中心線側に位置する。同様に、第３下受け部１１２０ｃの裏表紙部２４側の上下方向に延びる端辺は、裏表紙接続部３４よりも背表紙部２６の中心線側に位置する。つまりは、第３下受け部１１２０ｃは、平面視したとき、表表紙接続部３２と裏表紙接続部３４の間に位置する。
【００５６】
すなわち、表表紙接続部３２と連続的に一直線状になる表表紙透明シート接続部２３２が、第１下受け部１１２０ａ（および第２下受け部１１２０ｂ）と第３下受け部１１２０ｃとの間を通る態様となる。
【００５７】
＜第２実施の形態に係る固定部９０について＞
この実施の形態に係る固定部９０は、裏表紙部２４における凹部１００の上端辺と表表紙側２２側の端辺とで形成される角部の近傍に設けられるこの実施の形態に係る第１固定部１０９０ａと、裏表紙部２４における凹部１００の下端辺と表表紙部２２側の端辺とで形成される角部の近傍に設けられるこの実施の形態に係る第２固定部１０９０ｂとを含む。第１固定部１０９０ａと第２固定部１０９０ｂを結ぶ直線は、図中二点鎖線で示す表表紙接続部３２および裏表紙接続部３４と平行になる。
【００５８】
なお、この実施の形態に係る固定部９０（すなわち第１固定部１０９０ａおよび第２固定部１０９０ｂ）は、裏表紙部２４の上記した位置に設けられる単純な孔である。すなわち、上記した第１実施の形態のように、凹部１００と同等またはそれ以上の深さに凹む態様ではない。
【００５９】
＜第２実施の形態に係る表紙１０の製造方法について＞
この実施の形態に係る表紙１０の製造方法は、上記した第１実施の形態と同様であるため、その説明は繰り返さない。なお、この実施の形態の溶着端縁８８は、図１７にハッチングして示す端縁である。すなわち、この実施の形態の溶着端縁８８は、開口部１１０の開口端縁１１２の一部であって、開口端縁１１２から下受け部１２０の側面１２２（すなわち、第１下受け部１１２０ａの側面１１２２ａ〜第３下受け部１１２０ｃの側面１１２０ｃ）が突設される部分を除いた端縁である。
【００６０】
＜第２実施の形態に係る表紙１０の効果について＞
この実施の形態に係る表紙１０の見出し部１５０は、幅方向の寸法が上記した第１実施の形態よりも小さい。これにより、パンチレスの綴じ具３００のための固定部９０を裏表紙部２４における背表紙部２６のより近傍に設けることができる。つまりは、綴じ具３００を裏表紙部２４における背表紙部２６のより近傍に固定できる。こうすることにより、複数枚の用紙５００を背表紙部２６のより近傍で綴じることができる。したがって、より安定して複数枚の用紙５００をファイル２に綴じることができる。
【００６１】
また、この実施の形態に係る下受け部１２０は、第１間隙部１０８０ａの表表紙部２２側の上下方向に延びる端辺にのみ設けられ、第２間隙部１０８０ｂの裏表紙部２４側の上下方向に延びる端辺には設けられない。こうすることにより、下受け部１１２０に妨げられることがないため、支障なく第２間隙部１０８０ｂから見出し材４００を見出し部１５０の内部に挿入することができる。
【００６２】
＜第３実施の形態について＞
次に、図１８〜図２１を参照して、この発明に係る表紙１０の第３実施の形態について説明する。なお、この実施の形態では、第１実施の形態と第５下受け部１２０ｅの形状が異なる。また、第５下受け部１２０ｅの形状が異なることに伴い、第１間隙部８０ａおよび第２間隙部８０ｂの形状が異なる。この実施の形態の構成と第１実施の形態の構成との相違点は以上である。したがって、同一部分には同じ参照番号を付し、同様となる説明は繰り返さない。
図１８は、この実施の形態に係る表紙１０を見開いた状態を外側から見たときの平面図である。また、図１９は、この実施の形態に係る表紙１０を見開いた状態を内側から見たときの平面図である。また、図２０（Ａ）は、図１９のＶＩＩＩ−ＶＩＩＩ断面図、図２０（Ｂ）は、図１９のＩＸ−ＩＸ断面図である。
【００６３】
＜第３実施の形態の下受け部２１２０について＞
この実施の形態に係る見出し部１５０の凹部１００は、第１実施の形態の第１下受け部１２０ａに対応する第１下受け部２１２０ａと、第１実施の形態の第２下受け部１２０ｂに対応する第２下受け部２１２０ｂと、第１実施の形態の第３下受け部１２０ｃに対応する第３下受け部２１２０ｃと、第１実施の形態の第４下受け部１２０ｄに対応する第４下受け部２１２０ｄと、第１実施の形態の第５下受け部１２０ｅに対応する第５下受け部２１２０ｅとを備える。
第１下受け部２１２０ａと第１下受け部１２０ａ、第２下受け部２１２０ｂと第２下受け部１２０ｂ、第３下受け部２１２０ｃと第３下受け部１２０ｃ、第４下受け部２１２０ｄと第４下受け部１２０ｄは、同じ形状である。第５下受け部２１２０ｅのみが第１実施の形態の第５下受け部１２０ｅの形状と異なる。
【００６４】
＜第３実施の形態の第５下受け部２１２０ｅについて＞
図１９の表紙１０を内側から見たときの平面図と、図２０に示す図１９の断面図を用いて、この実施の形態の特徴である第５下受け部２１２０ｅについて詳細に説明する。
この実施の形態の第５下受け部２１２０ｅは、見出し材４００を支持するための下受け本体部１３０と、この下受け本体部１３０の上端辺の中央部とこの実施の形態に係る第１間隙部２０８０ａ（およびこの実施の形態に係る第２間隙部２０８０ｂ）に臨む開口部の開口端縁とを結ぶ下受け上部架橋部１４２と、下受け本体部１３０の下端辺の中央部と第１間隙部２０８０ａ（および第２間隙部２０８０ｂ）に臨む開口部の開口端縁とを結ぶ下受け下部架橋部１４４とから構成される。なお、第１間隙部２０８０ａおよび第２間隙部２０８０ｂは、それぞれ、第１実施の形態の第１間隙部８０ａおよび第２間隙部８０ｂに対応する。
【００６５】
また、下受け本体部１３０（並びに下受け上部架橋部１４２および下受け下部架橋部１４４）は、第１実施の形態の第５下受け部１２０ｅと同様に、表表紙接続部３２と裏表紙接続部３４の間（すなわち、背表紙部２６）に設けられる。さらに、第１間隙部２０８０ａおよび第２間隙部２０８０ｂには、それぞれ、第１実施の形態の第１間隙部８０ａおよび第２間隙部８０ｂと同様に、表表紙接続部３２および裏表紙接続部３４が位置する態様となる。
【００６６】
図示するように、上部架橋部１４２および下部架橋部１４４の幅方向の寸法は同等である。また、上部架橋部１４２および下部架橋部１４４の幅方向の寸法は、下受け本体部１３０の幅方向の寸法よりも十分に小さい。ここで、この実施の形態の凹部１００は、第１実施の形態の凹部１００の孔部８２に対応する構成を有しない。すなわち、この第３実施の形態の凹部１００は、第１下受け部２１２０ａ〜第５下受け部２１２０ｅと、第１間隙部２０８０ａおよび第２間隙部２０８０ｂのみから構成される。したがって、凹部１００の第１下受け部２１２０ａ〜第５下受け部２１２０ｅ以外の部分が全て、第１間隙部２０８０ａおよび第２間隙部２０８０ｂとなる。
【００６７】
ここで、上記したように、第５下受け部２１２０ｅの第１架橋部１４２および第２架橋部１４４の幅方向の寸法は、下受け本体部１３０の幅方向の寸法よりも十分に小さい。したがって、その分、第１間隙部２０８０ａおよび第２間隙部２０８０ｂを平面視したときの面積が大きくなる。より具体的には、この実施の形態の第１間隙部２０８０ａおよび第２間隙部２０８０ｂは、第１実施の形態の間隙部８０に比べて、下受け本体部１３０の上端辺の第１架橋部１４２を除いた部分の長さと第１架橋部１４２の長手方向の長さの積から得られる面積、および下受け本体部１３０の下端辺の第２架橋部１４４を除いた部分の長さと第２架橋部１４４の長手方向の長さの積から得られる面積の分だけ大きい面積を有する。このように、この実施の形態の表紙１０は、十分に大きな第１間隙部２０８０ａおよび第２間隙部２０８０ｂ、特に、裏表紙部２４側に位置する十分に大きな第２間隙部２０８０ｂを有することにより、見出し材４００を容易に見出し部４００の内部に挿入できる。
【００６８】
また、下受け本体部１３０は、裏側表紙部２４側の幅方向の端辺において、表紙本体２０の外側表面６０から内側表面７０に向かう方向（紙面の手前方向）に反ることが可能な反上り部１３８を有する。すなわち、反上り部１３８を紙面手前方向に反らせることによって、第２間隙部２０８０ｂがより大きくなる。この構成によって、より容易に見出し材４００を見出し部４００の内部に挿入できる。
【００６９】
図２１は、この発明の第３実施の形態に係る表紙１０の製造方法において、開口端縁１１２と透明シート端縁２１２とを溶着する溶着端縁８８を明示した平面図である。図２１において、ハッチングした箇所が溶着端縁８８である。図示するように、下受け上部架橋部１４２および下受け下部架橋部１４４の幅方向の寸法が十分小さいことにより、第３開口端辺１１２ｃの一部である溶着端縁８８と、第４開口端辺１１２ｄの一部である溶着端縁８８とがより長くなる。これにより、表紙本体２０と透明シート２００とをより強固に溶着することが可能となる。
【００７０】
＜変形例について＞
次に、図２２を参照して、上記した第１実施の形態の変形例について説明する。なお、間隙部８０、固定部９０および下受け部１２０を除く他の構成は、上記した第１実施の形態と同じであるため、同一部分には同じ参照番号を付し、同様となる説明は繰り返さない。図２２は、この変形例に係る表紙１０を見開いた状態を外側から見た平面図である。
【００７１】
図示するように、この実施の形態にかかる見出し部１５０の幅方向の両端辺（開口部１１０の幅方向の両端辺）は、凹凸形状を有する。より具体的には、開口部１１０の幅方向の両端辺の凹凸形状は、同一形状の台形が長手方向に複数個並ぶ態様であり、凹部および凸部の上底または下底それぞれが開口端縁１１２の幅方向の両端辺の一部を構成する。また、開口部１１０の開口端縁１１２には、この開口端縁１１２に対応した形状の透明シート端縁２１２を有する透明シート２００が溶着される。この開口端縁１１２と透明シート端縁２１２との溶着方法は、上記した第１実施の形態で説明した方法と同じである。開口端縁１１２（および透明シート端縁２１２）にこのような凹凸を設けることで、溶着される部分がより多くなるため、強度をより高めることができる。
【００７２】
なお、ここでいう凹凸形状とは、広く直線状でない形状のことをいう。すなわち、凹凸形状は図２２に示す形状に限定されない。例えば、同一形状の三角形が長手方向に複数個並ぶ形状であってもよいし、図２２の台形のピッチを長くした形状であってもよい。また、このような形状の凹凸をより深くしてもよいし、より浅くしてもよい。さらに、円弧状に波打った形状や凸部の先端が屈曲する形状なども考えられる。また、幅方向の両端辺の凹凸形状が互いに異なる形状であってもよい。また、一方の端辺のみに凹凸形状を設け、他方の端辺は直線状にしてもよい。さらに、長手方向の両端辺にも凹凸を設けるようにしてもよい。なお、幅方向の両端辺および長手方向の両端辺（すなわち、全ての端辺）において凹凸形状を設けることにより、強度をより高めることができる。
【００７３】
＜この発明に係る表紙１０に適した形状の見出し材について＞
最後に、この発明に係る表紙１０に適した形状の見出し材について説明する。図２３は、この発明の実施の形態に係る表紙１０の見出し部１５０に適した形状を有する第１変形見出し材４１０の平面図である。また、図２４は、この発明の第３実施の形態に係る表紙の見出し部１５０に第１変形見出し材４１０を収納した場合を表紙１０の内側から見たときの平面図である。
【００７４】
この第１変形見出し材４１０は、見出し部１５０に保持された状態において、表紙本体２０の裏表紙部２４側の幅方向の端辺の略中央部分に、長手方向に延びる第１持ち手部４１２を有する。この第１持ち手部４１２を把持して、第１変形見出し材４１０を第２間隙部２０８０ｂから見出し部１５０の内部に挿入する。こうすることにより、第１変形見出し材４１０をより容易に見出し部１５０の内部に挿入できる。また、図２４に示すように、第１変形見出し材４１０を見出し部１５０の内部に挿入したとき、略矩形状の端辺それぞれが、第１開口端辺１１２ａ〜第４開口端辺１１２ｄに沿った状態になる。そして、第１持ち手部４１２が、見出し部１５０の第３下受け部２１２０ｃと第４下受け部２１２０ｄの間から裏表紙部２４側に突出した状態になる。したがって、見出し部１５０に収納された第１変形見出し材４１０を外部に取り出すときも、第１持ち手部４１２を把持して引き出すことにより、より容易に行うことができる。
【００７５】
図２５は、この発明の実施の形態に係る表紙１０の見出し部１５０に適した形状を有する第２変形見出し材４２０の平面図である。また、図２６は、この発明の第３実施の形態に係る表紙の見出し部１５０に第２変形見出し材４２０を収納した場合を表紙１０の内側から見たときの平面図である。
【００７６】
この第２変形見出し材４２０は、表紙本体２０の表表紙部２２および裏表紙部２４側の幅方向の端辺の略中央部分それぞれに、円弧状の第２持ち手部４２２ａ、４２２ｂを有する。第２変形見出し材４２０も、見出し部１５０に保持された状態において、略矩形状の端辺それぞれが、第１開口端辺１１２ａ〜第４開口端辺１１２ｄに沿った状態になる。この第２持ち手部４２２ａまたは第２持ち手部４２２ｂを把持して、第２変形見出し材４２０を第２間隙部２０８０ｂから見出し部１５０の内部に挿入する。こうすることにより、第２変形見出し材４２０をより容易に見出し部１５０の内部に挿入できる。また、図２６に示すように、第２変形見出し材４２０を見出し部１５０の内部に挿入したとき、第２持ち手部４２２ａが、見出し部１５０の第１下受け部２１２０ａと第４下受け部２１２０ｄの間から裏表紙部２４側に突出した状態になる。また、第２持ち手部４２２ｂが、見出し部１５０の第３下受け部２１２０ｃと第４下受け部２１２０ｄの間から裏表紙部２４側に突出した状態になる。したがって、見出し部１５０に収納された第２変形見出し材４２０を外部に取り出すときも、第２持ち手部４２２ａまたは第２持ち手部４２２ｂを把持して引き出すことにより、より容易に行うことができる。
【００７７】
なお、上記した実施の形態では、見出し部１５０が、背表紙部２６の上下方向の略中央と、その両脇の表表紙部２２および裏表紙部２４の略中央とに亘って設けられる場合について説明した。しかしながら、この場合に限らず、見出し部１５０は背表紙部２６においてのみ設けてもよいし、表表紙部２２または裏表紙部２４のいずれかにおいてのみ設けてもよい。また、表表紙部２２および背表紙部２６のみに亘って設けられてもよいし、裏表紙部２４および背表紙部２６のみに亘って設けられてもよい。さらに、見出し部１５０は、表紙本体１０の上下方向の略中央以外の部分に設けられてもよい。例えば、背表紙部２６の上端辺などに設けてもよい。
【００７８】
なお、開口端縁１１２と透明シート端縁２１２の溶着方法は任意である。例えば、熱による溶着であってもよいし、高周波や超音波による溶着であってもよい。また、この他の方法で溶着してもよい。
【００７９】
なお、上記した実施の形態では、見出し部１５０が略矩形状である場合について説明したが、これに限らず、例えば、三角形状や円形状、星型の形状などであってもよいし、その他の任意の形状であってもよい。
【００８０】
なお、上記した実施の形態では、表紙本体２０の開口端縁１１２と、透明シート２００の透明シート端縁２１２とがフラットに溶着される場合について説明した。しかしながら、これに限らず、表紙本体２０の外側表面６０全体に透明シート２００を積層することにより、表紙１０全体として外側表面がフラットになるように構成してもよい。
【００８１】
なお、上記した実施の形態では、表紙本体２０の開口部１１０をカバーするように透明シート２００を設け、この透明シート２００と表紙本体２０に設けられる凹部１００の下受け部１２０（１１２０、２１２０）とによって、見出し材４００を厚み方向に挟んで位置決めする場合について説明した。しかしながら、透明シート２００を設けず、その代わりとなる構成を備えることにより厚み方向に挟んで位置決めするものであってもよい。例えば、下受け部１２０（１１２０、２１２０）の側面１２２（１１２２、２１２２）は、表紙本体２０の内側表面７０から突設されるが、この突設する位置を間隙部８０の端縁から適宜離れた位置にしてもよい。こうすることにより、下受け部１２０（１１２０、２１２０）の底面１２４（１１２４、２１２４）と表紙本体２０の内側表面７０との間に見出し材４００の端辺を挟み込むための空間が形成される。この空間にその端辺を挟みこんで、見出し材４００を位置決めするようにしてもよい。
【００８２】
＜第４実施の形態について＞
以下、この発明の第４実施の形態について図面を参照して説明する。図２７は、この発明の４実施の形態に係る表紙１０を主要な構成とするファイルを閉じた状態を外側から見たときの斜視図である。また、図２８は、このファイルを見開いた状態を内側から見たときの斜視図である。なお、図２８では、見た目の煩雑さを避けるため、図２７に示す綴じ体たる複数枚の用紙を省略してある。
【００８３】
ファイル２は、複数枚の用紙５００を綴じて整理・保管するためのものである。ファイル２は、この発明に係る表紙１０と、表紙１０の内側に設けられる綴じ具３００とから構成される。そして、この発明に係る表紙１０は、表紙本体２０と、見出し部１５０とを備える。表紙本体２０は、表表紙部２２と、裏表紙部２４と、これら表表紙部２２および裏表紙部２４を一体的に接続する背表紙部２６とを含む。この表紙本体２０は、ポリプロピレンなどの熱可塑性合成樹脂で形成され、その外側表面６０が鏡面ピンドットエンボス加工されるとともに、内側表面７０が新スエード加工される。
この実施の形態に係る見出し部１５０は、背表紙部２６の上下方向の略中央と、その両脇の表表紙部２２および裏表紙部２４の略中央とに亘って一体的に設けられる。この見出し部１５０は、見出しの表された第３変形見出し材４３０（例えば紙など）を表紙本体２０の外側から視認できる態様でその内部に保持するためのものである。この実施の形態に係る見出し部１５０の外側表面は、表面側保持部（および被覆部材）たる透明シート２００で構成される。透明シート２００は、平板状であり、透明または半透明の部材（例えば、ポリプロピレンなどの熱可塑性合成樹脂）で形成される。透明シート２００の外側表面２６０（すなわち、見出し部１５０の外側表面）と、表紙本体２０の外側表面６０とは、互いにフラットになるように配設される。したがって、この実施の形態に係る見出し部１５０は、従来の見出し部のように、表紙本体の外側表面から飛び出した状態にならない。
【００８４】
上記したように、この実施の形態に係る表紙１０は、見出し部１５０の外側表面と、表紙本体２０の外側表面とがフラットに配設される。したがって、見出し部１５０が外部の物体と接触する頻度が低くなる。また、従来の表紙と違い、見出し部１５０と表紙本体２０の境界部分に段差が形成されないため、外部の物体に引っ掛かることもない。その結果、表紙１０全体として破れたり撓んだりすることがない。また、強度を高めるために表紙本体２０から見出し部１５０の端縁として鉄枠などを突設する必要もない。以上により、この実施の形態にかかる表紙１０は、十分な強度を有するとともに、製造コストを低く抑えることができる。
【００８５】
＜綴じ具３００について＞
次に、この実施の形態に係る綴じ具３００について説明する。この実施の形態に係る綴じ具３００は、図２８に示すように、背表紙部２６の内側表面に取り付けられる。綴じ具３００は、長手方向に延びる綴じ具本体３１０と、綴じ具本体３１０の上面に長手方向に並んで設けられる複数のリング部３１２とを含む。複数のリング部３１２それぞれは、その上端部で二股に開閉可能である。
綴じ具３００に複数枚の用紙５００を綴じるには、まず、複数のリング部３１２それぞれの上端部を二股に開いた状態にする。次に、二股に開いた複数のリング部１８４それぞれの先端部を、複数枚の用紙５００の対応する孔に通す。最後に、二股に開いたリング部３１２それぞれの上端部を閉じる。このようにして、綴じ具３００に複数枚の用紙５００が綴じられる。
【００８６】
＜表紙１０について＞
次に、図２９〜３２を参照して、この実施の形態に係る表紙１０の詳細な構成について説明する。図２９は、この発明の第４の実施の形態に係る表紙を見開いた状態を外側から見たときの平面図である。図３０は、この発明の第４の実施の形態に係る表紙を見開いた状態を内側から見たときの平面図である。図３１は、この発明の第４の実施の形態に係る表紙の見出し部周辺の拡大図であり、（Ａ）が見出し部全体周辺の拡大図、（Ｂ）が第１係止部周辺の拡大図、（Ｃ）が第２係止部周辺の拡大図である。図３２は、この発明の第４の実施の形態に係る表紙を見開いた状態の図３１の断面図であり、（Ａ）はＩ−Ｉ断面図、（Ｂ）はＩＩ−ＩＩ断面図、（Ｃ）はＩＩＩ−ＩＩＩ断面図である。
上記したように、表紙１０は、表紙本体２０と、見出し部１５０とを備える。表紙本体２０は、表表紙部２２と、裏表紙部２４と、これら表表紙部２２および裏表紙部２４を一体的に接続する背表紙部２６とを含む。図２９および図３０に二点鎖線で示すように、表表紙部２２と背表紙部２６とが上下方向に直線状に延びる表表紙接続部３２を境界として一体的に接続（形成）される。また、裏表紙部２４と背表紙部２６とが上下方向に直線状に延びる裏表紙接続部３４を境界として一体的に接続（形成）される。また、表紙本体２０には、表紙本体２０の厚み方向に凹む裏面側保持部たる凹部１００が形成される。この凹部１００は、表紙本体２０と一体的に形成される。
【００８７】
＜見出し部１５０について＞
この実施の形態に係る見出し部１５０は、上記した表紙本体２０に設けられる凹部１００と、この凹部１００の開口部１１０をカバーするカバー部材として設けられる透明シート２００とから構成される。
【００８８】
＜透明シート２００について＞
この実施の形態に係る透明シート２００は、表表紙部２２にフラットに配設される表表紙透明シート２２２と、裏表紙部２４にフラットに配設される裏表紙透明シート２２４と、背表紙部２６にフラットに配設される背表紙透明シート２２６とを含む。より具体的には、この実施の形態に係る表紙本体２０と透明シート２００は、表表紙部２２の外側表面６０ａと表表紙透明シート２２２の外側表面２６０ａ、裏表紙部２４の外側表面６０ｂと裏表紙透明シート２２４の外側表面２６０ｂ、および背表紙部２６の外側表面６０ｃと背表紙透明シート２２６の外側表面２６０ｃがそれぞれフラットになるように配設される。
【００８９】
図２９および図３０に二点鎖線で示すように、表表紙透明シート２２２と背表紙透明シート２２６が、上下方向に直線状に延びる表表紙透明シート接続部２３２を境界として一体的に接続（形成）される。また、裏表紙透明シート２２４と背表紙透明シート２２６が、上下方向に直線状に延びる裏表紙透明シート接続部２３４を境界として一体的に接続（形成）される。透明シート２００の表表紙透明シート接続部２３２は、表紙本体２０の表表紙接続部３２と連続的に一直線状になる。同様に、裏表紙透明シート接続部２３４は、裏表紙接続部３４と連続的に一直線状になる。そして、表表紙接続部３２と表表紙透明シート接続部２３２が一体的に折り曲げられることにより、表表紙部２２が開閉される。また、同様に、裏表紙接続部３４と裏表紙透明シート接続部２３４が一体的に折り曲げられることにより、裏表紙部２４が開閉される。
【００９０】
透明シート２００は、凹部１００の開口部１１０の開口端縁１１２に対応する形状の透明シート端縁２１２を有する。そして、表紙本体２０の外側表面６０と透明シート２００の外側表面２６０（すなわち、見出し部１５０の外側表面）とがフラットになるように、開口端縁１１２と透明シート端縁２１２とが溶着される。
透明シート端縁２１２の全ての端辺は直線状である。すなわち、透明シート端縁２１２は、表紙１０を完全に見開いた状態のとき、上下方向に直線状に延びる互いに平行な第１透明シート端辺２１２ａおよび第２透明シート端辺２１２ｂと、幅方向に直線状に延びる互いに平行な第３透明シート端辺２１２ｃおよび第４透明シート端辺２１２ｄとで構成される。
【００９１】
＜凹部１００の構成（概要）について＞
見出し部１５０を形成する表紙本体２０の凹部１００は、表紙本体２０の外側表面６０の高さ方向の略中央を上下方向に延びて形成される開口部１１０と、第３変形見出し材４３０をその内部に挿入するための間隙部８０と、凹部１００の底面となる下受け部１２０とから構成される。
この実施の形態に係る凹部１００は、背表紙部２６に形成される部分と、背表紙部２６に形成される部分から表表紙接続部３２を跨いで表表紙部２２に形成される部分と、背表紙部２６に形成される部分から裏表紙接続部３４を跨いで裏表紙部２４に形成される部分とを有する。
凹部１００の背表紙部２６に形成される部分、表表紙部２２に形成される部分および裏表紙部２４に形成される部分は、それぞれ、高さ方向の寸法が同じである。
凹部１００の背表紙部２６に形成される部分の上端辺および下端辺は、背表紙部２６の上端辺および下端辺に平行ないしは沿うように、且つ背表紙部２６の左端辺および右端辺（表表紙接続部３２および裏表紙接続部３４）に直交ないしは交差するように形成される。また、凹部１００の背表紙部２６に形成される部分の左端辺および右端辺は、背表紙部２６の左端辺および右端辺（表表紙接続部３２および裏表紙接続部３４）に平行ないしは沿うように、且つ背表紙部２６の上端辺および下端辺に直交ないしは交差するように形成される。
凹部１００の表表紙部２２に形成される部分の上端辺および下端辺は、表表紙部２２の上端辺および下端辺に平行ないしは沿うように、且つ表表紙部２２の左端辺および右端辺に直交ないしは交差するように形成される。また、凹部１００の表表紙部２２に形成される部分の左端辺および右端辺は、表表紙部２２の左端辺（表表紙接続部３２）および右端辺に平行ないしは沿うように、且つ表表紙部２２の上端辺および下端辺に直交ないしは交差するように形成される。
凹部１００の裏表紙部２４に形成される部分の上端辺および下端辺は、裏表紙部２４の上端辺および下端辺に平行ないしは沿うように、且つ裏表紙部２４の左端辺および右端辺に直交ないしは交差するように形成される。また、凹部１００の裏表紙部２４に形成される部分の左端辺および右端辺は、裏表紙部２４の左端辺（裏表紙接続部３４）および右端辺に平行ないしは沿うように、且つ裏表紙部２４の上端辺および下端辺に直交ないしは交差するように形成される。
この実施の形態に係る開口部１１０は、表紙本体２０の厚み方向に穿設され、表紙本体２０に略矩形状の開口端縁１１２を有する。
開口端縁１１２の全ての端辺は直線状である。すなわち、開口端縁１１２は、表紙１０を完全に見開いた状態のとき、上下方向に直線状に延びる互いに平行な第１開口端辺１１２ａおよび第２開口端辺１１２ｂと、幅方向に直線状に延びる互いに平行な第３開口端辺１１２ｃおよび第４開口端辺１１２ｄとで構成される。
【００９２】
凹部１００は、表紙１０の背表紙部２６の高さ方向の中央において、表表紙部２２における背表紙部２６の近傍の領域、裏表紙部２４における背表紙部２６の近傍の領域及び背表紙部２６に亘って形成されている。
第１開口端辺１１２ａ及び第２開口端辺１１２ｂは、表表紙接続部３２及び裏表紙接続部３４と平行にのびる。
第３開口端辺１１２ｃ及び第４開口端辺１１２ｄは、表表紙接続部３２及び裏表紙接続部３４と直交する方向にのびる。
第５下受け部１２０ｅは、その表表紙側端縁とその裏表紙側端縁が直線であり、その表表紙側端縁とその裏表紙側端縁が表表紙接続部３２及び裏表紙接続部３４と平行にのびる。
【００９３】
＜間隙部８０および孔部８２について＞
この実施の形態に係る凹部１００の間隙部８０は、表紙本体２０の幅方向に一定の距離をおいて２つ設けられる。すなわち、間隙部８０は、表表紙接続部３２に上下方向に沿って、且つ幅方向に跨り、表表紙部２２および背表紙部２６に上下方向に延びる態様で設けられる第１間隙部８０ａと、裏表紙接続部３４に上下方向に沿って、且つ幅方向に跨り、裏表紙部２４および背表紙部２６に上下方向に延びる態様で設けられる第２間隙部８０ｂとを含む。
また、凹部１００には、孔部８２が２つ設けられる。孔部８２は、開口部１１０の開口端縁１１２の上側端縁の近傍で、凹部１００の上端辺に背表紙部２６の幅方向の中心線に跨って左右方向に延びて設けられる略矩形状の第１孔部８２ａと、同じく開口部１１０の開口端縁１１２の下側端縁の近傍で、凹部１００の下端辺に背表紙部２６の幅方向の中心線に跨って左右方向に延びて設けられる略矩形状の第２孔部８２ｂとを含む。
【００９４】
＜下受け部１２０について＞
また、この実施の形態に係る凹部１００の下受け部１２０は、表紙本体２０の高さ方向に一定の距離をおいて、開口部１１０の表表紙部２２側の第１開口端辺１１２ａの近傍に形成された２つの係止部と、表紙本体２０の上方から下方に亘って（見出し紙４００の幅方向の寸法に相当する寸法）連続して形成された１つの支持部とをあわせて、３つ設けられる。下受け部１２０の係止部は、第１間隙部８０ａの表表紙部２２側の上下方向に延びる端辺の上方部分に設けられる第１係止部１２０ａと、同じく第１間隙部８０ａの表表紙部２２側の上下方向に延びる端辺の下方部分に設けられる第２係止部１２０ｂとによって形成される。下受け部１２０の支持部は、背表紙部２６の幅方向の中心線に沿って且つ跨り、且つ凹部１００の上端辺と下端辺を結ぶ態様で設けられる第５下受け部１２０ｅによって形成される。
【００９５】
第１係止部１２０ａは、開口部１１０の第１開口端辺１１２ａから表紙本体２０の厚み方向（表紙本体の外側表面６０から表紙本体の内側表面７０に向かう方向）に突設される第１係止根元部１７２と、第１係止根元部１７２の先端から屈曲して表表紙部２２が延在する方向と平行に背表紙部２６に向けて延びる第１係止先端部１７４とを含む。
第１係止根元部１７２は、下受け部１２０の側面１２２の一部を構成する。また、第１係止先端部１７４は、下受け部１２０の底面１２４の一部を構成する。
第１係止先端部１７４は、第１係止根元部１７２と接続され、表表紙部２２が延在する方向と平行に背表紙部２６に向けて延びる第１下受け基礎部１７６ａと、第１係止先端基礎部１７６ａの下端辺の一部（第１係止根元部１７２の近傍を除く部分）から下方に延びる第１係止先端下部１７６ｂと、第１係止先端基礎部１７６ａの上端辺の一部（第１係止根元部１７２の近傍を除く部分）から上方に延びる第１係止先端上部１７６ｃとを含む。第１係止先端下部１７６ｂは、第１係止基礎部１７６ａから高さ方向の下方に突出する第１係止突出下部を構成する。同様に、第１係止先端上部１７６ｃは、第１係止基礎部１７６ａから高さ方向の上方に突出する第１係止突出上部を構成する。
第１係止先端下部１７６ｂと、第１係止先端上部１７６ｃとは、第１係止先端基礎部１７６ａの高さ方向の中心線（すなわち、第１係止先端基礎部１７６ａを高さ方向に二分割し、第１先端基礎部１７６ａが延びる方向と平行に延びる線）に関して線対称である。
このような形状を有する第１係止先端部１７４は、第１係止根元部１７２の近傍の幅寸法が第１係止根元部１７２の幅寸法と同じかまたはほぼ同じであり、第１係止根元部１７２の近傍を除く部分（先端部分）の幅寸法が第１係止根元部１７２の幅寸法よりも大きい。
【００９６】
第２係止部１２０ｂは、開口部１１０の第１開口端辺１１２ａから表紙本体２０の厚み方向（表紙本体の外側表面６０から表紙本体の内側表面７０に向かう方向）に突設される第２係止根元部１８２と、第２係止根元部１８２の先端から屈曲して表表紙部２２が延在する方向と平行に背表紙部２６に向けて延びる第２係止先端部１８４とを含む。
第２係止根元部１８２は、下受け部１２０の側面１２２の一部を構成する。また、第２係止先端部１８４は、下受け部１２０の底面１２４の一部を構成する。
第２係止先端部１８４は、第２係止根元部１８２と接続され、表表紙部２２が延在する方向と平行に背表紙部２６に向けて延びる第２下受け基礎部１８６ａと、第２係止先端基礎部１８６ａの下端辺の一部（第２係止根元部１８２の近傍を除く部分）から下方に延びる第２係止先端下部１８６ｂとを含む。第２係止先端下部１８６ｂは、第２係止基礎部１８６ａから高さ方向の下方に突出する第２係止突出下部を構成する。
このような形状を有する第２係止先端部１８４は、第２係止根元部１８２の近傍の幅寸法が第２係止根元部１８２の幅寸法と同じかまたはほぼ同じであり、第２係止根元部１８２の近傍を除く部分（先端部分）の幅寸法が第２係止根元部１８２の幅寸法よりも大きい。
【００９７】
第５下受け部１２０ｅの上側端縁には、上記した第１孔部８２ａが形成される。そして、第５下受け部１２０ｅの上側端縁は、第１孔部８２ａの表表紙部２２側の端辺を形成するように上下方向に延びる下受け表表紙側上方接続部１６０ａと、第５下受け部１２０ｅの裏表紙部２４側の端辺を形成するように上下方向に延びる下受け裏表紙側上方接続部１６０ｂとにより、開口部１１０の第３開口端辺１１２ｃと一体的に接続される。
同様に、第５下受け部１２０ｅの下側端縁には、上記した第２孔部８２ｂが形成される。そして、第５下受け部１２０ｅの下側端縁は、第２孔部８２ｂの表表紙部２２側の端辺を形成するように上下方向に延びる下受け表表紙側下方接続部１６０ｃと、第５下受け部１２０ｅの裏表紙部２４側の端辺を形成するように上下方向に延びる下受け裏表紙側下方接続部１６０ｄとにより、開口部１１０の第４開口端辺１１２ｄと一体的に接続される。
【００９８】
下受け部１２０（すなわち、第１係止部１２０ａ、第２係止部１２０ｂおよび第５下受け部１２０ｅの全て）は、表紙本体２０の内側表面７０における間隙部８０に臨む端辺であって、開口部１１０の開口端辺１１２から表紙本体２０の厚み方向に突設される側面１２２と、この側面１２２の先端から屈曲して延びる底面１２４とから構成される。すなわち、下受け部１２０の側面１２２と、底面１２４と、凹部１００の開口部１１０（すなわち、下受け部１２０の外側表面）との間に空間が形成される。この空間の内部に、第３変形見出し材４３０が保持される。
【００９９】
第１係止根元部１７２は、表表紙接続部３２及び裏表紙接続部３４と平行にのびる。
第２係止根元部１８２は、表表紙接続部３２及び裏表紙接続部３４と平行にのびる。
【０１００】
第１係止部１２０ａの底面１２４ａ（および第２係止部１２０ｂの底面１２４ｂ）は、第１間隙部８０ａに臨む表表紙部２２側の上下方向に延びる開口端縁１１２の端辺から、背表紙部２６の幅方向の中心線に向かって延び、その先端部が表表紙接続部３２に至らない範囲に位置する。
【０１０１】
第５下受け部１２０ｅは、背表紙部２６の幅方向の中心線について対称な形状を有する。また、第５下受け部１２０ｅの表表紙部２２側の上下方向に延びる端辺は、表表紙接続部３２よりも背表紙部２６の中心線側に位置する。同様に、第５下受け部１２０ｅの裏表紙部２４側の上下方向に延びる端辺は、裏表紙接続部３４よりも背表紙部２６の中心線側に位置する。つまりは、第５下受け部１２０ｅは、平面視したとき、表表紙接続部３２と裏表紙接続部３４の間に位置する。
【０１０２】
見出し材保持部（見出し部１５０）は、左右方向において位置決めするように見出し材（４００）の端縁を係止する舌状の係止部（第１係止部１２０ａおよび第２係止部１２０ｂ）と、見出し材（４００）の裏面を支持する帯状の支持部（第５下受け部１２０ｅ）を備え、前記係止部（第１係止部１２０ａおよび第２係止部１２０ｂ）は、見出し材保持部（見出し部１５０）の内方に向けて突き出されており、前記支持部（第５下受け部１２０ｅ）は、表紙の高さ方向において表紙接続部（表表紙接続部３２および裏表紙接続部３４）に沿って架設された、帯状体である。
間隙部（８０）は、係止部（第１係止部１２０ａおよび第２係止部１２０ｂ）と支持部（第５下受け部１２０ｅ）との間において、表紙接続部（表表紙接続部３２および裏表紙接続部３４）に沿って設けられ、表紙接続部（表表紙接続部３２および裏表紙接続部３４）と交差する方向に向けて、背見出し材を、見出し保持部（見出し部１５０）を構成する凹部（１００）の内側に見出し保持部（見出し部１５０）に差し込む間隙を備えている。
係止部（第１係止部１２０ａおよび第２係止部１２０ｂ）は、表紙本体（２０）の表紙接続部（表表紙接続部３２）より幅方向において外側に形成され、支持部（第５下受け部１２０ｅ）は、表紙本体（２０）の表紙接続部（表表紙接続部３２および裏表紙接続部３４）より幅方向において内側に形成されている。
間隙部（８０）は、係止部（第１下係止部１２０ａおよび第２係止部１２０ｂ）と支持部（第５下受け部１２０ｅ）との間、および係止部（第１係止部１２０ａおよび第２係止部１２０ｂ）が設けられる表紙本体２０の第１開口端辺１１２ａと対向する第２開口端辺１１２ｂとの間に形成され、表紙本体（２０）を表紙接続部（表表紙接続部３２および裏表紙接続部３４）において折り曲げられるように間隙を形成される。
支持部（第５下受け部１２０ｅ）は、表紙（１０）の高さ方向にのびており、表紙本体（２０）の表紙接続部（表表紙接続部３２および裏表紙接続部３４）より幅方向において内側に形成される。
見出し材保持部（見出し部１５０）は、表紙本体（２０）に形成された、見出し紙４００を視認するための開口部（１１０）の内側に形成され、表紙本体（２０）の開口部（１１０）に配設された被覆部材（透明シート１２０）を通して、見出し材保持部（見出し部見出し部１５０）に保持された見出し材（４００）を視認するように形成される。
表紙本体（２０）の開口部（１１０）は、表紙本体（２０）の幅方向において左右に分かれた表紙接続部（表表紙接続部３２および裏表紙接続部３４）及び／又は背見出し材の幅方向において左右に分かれた見出し材（４００）の端縁に対応して直線状に形成される。
係止部を構成する第１係止部１２０ａと第２係止部１２０ｂとは、表紙本体（２０）の幅方向において左右に分かれた表紙接続部（表表紙接続部３２および裏表紙接続部３４）及び／又は背見出し材の幅方向において左右に分かれた見出し材（４００）の端縁に対応して表紙本体（２０）の開口部（１１０）の一方の端縁の側及び／又は他方の端縁側に並列されている。
係止部（第１係止部１２０ａおよび第２係止部１２０ｂ）は、表紙本体（２０）の高さ方向において上下に分かれて複数の係止体が直線状に並列されている。
支持部（第５下受け部１２０ｅ）は、表紙本体（２０）の幅方向において左右に分かれた表紙接続部（表表紙接続部３２および裏表紙接続部３４）及び／又は背見出し材の幅方向において左右に分かれた見出し材（４００）の端縁に対応して、その左右端縁が直線状に形成されている。
【０１０３】
上記の通りであるため、図２９および図３０に示すように、表表紙接続部３２と連続的に一直線状になる表表紙透明シート接続部２３２が、第１係止部１２０ａ（および第２係止部１２０ｂ）と第５下受け部１２０ｅとの間を通るとともに、裏表紙接続部３４と連続的に一直線状になる裏表紙透明シート接続部２３４が、第１係止部１２０ａ（および第２係止部１２０ｂ）が設けられる表紙本体２０の第１開口端辺１１２ａと対向する第２開口端辺１１２ｂと第５下受け部１２０ｅとの間を通る態様となる。
【０１０４】
＜固定部９０について＞
背表紙部２６には、長手方向に延びる綴じ具３００を表紙本体２０に固定する固定手段たる鋲を通すための円形状の固定部９０が設けられる。固定部９０は、背表紙部２６の幅方向の中心線上であって、凹部１００の上端辺よりも上方の部分に設けられる第１固定部９０ａと、同じく背表紙部２６の幅方向の中心線上であって、凹部１００の下端辺よりも下方の部分に設けられる第２固定部９０ｂとを含む。すなわち、この実施の形態に係る綴じ具３００は、その長手方向の両端辺において固定手段たる鋲によって表紙本体２０に固定される。綴じ具３００は、背表紙部２６の内側表面における凹部１００の底面（すなわち、下受け部１２０の底面１２４）に被さるように設けられる。また、この固定部９０は、表紙本体２０の厚み方向に、凹部１００と同等またはそれ以上の深さまたはそれ以上に凹む態様で設けられる。
【０１０５】
＜第３変形見出し材４３０について＞
この実施の形態に係る表紙１０が備える第３変形見出し材４３０について、図３３および３４を参照して説明する。図３３は、この発明の第４の実施の形態に係る第３変形見出し材を示す図であり、（Ａ）が第３見出し折曲げ線で折り曲げる前の平面図、（Ｂ）が第３見出し折曲げ線で折り曲げる様子を示した斜視図である。図３４は、この発明の第４の実施の形態に係る第３変形見出し材を表紙本体の凹部に収納する際の様子を示す図であり、（Ａ）が第３変形見出し材を裏表紙部の側まで差し込んだ状態を示す図であり、（Ｂ）が第３変形見出し材を凹部に収納した状態を示す図である。第３変形見出し材４３０は、第３基礎部４３２と、第３基礎部４３２の端辺と一体的に形成される第３把持部４５２とを含む。
【０１０６】
第３基礎部４３２は、その幅方向の一方の端辺であって表紙本体２０の第１開口端辺１１２ａと対応するように上下方向に延びる第３見出し左端辺４３２ａと、その幅方向の他方の端辺であって上下方向に延びる第３見出し右端辺４３２ｂと、その高さ方向の一方の端辺であって表紙本体２０の第３開口端辺１１２ｃと対応するように幅方向に延びる抜差し方向被案内上部４３２ｃと、その高さ方向の他方の端辺であって表紙本体２０の第４開口端辺１１２ｄと対応するように幅方向に延びる抜差し方向被案内下部４３２ｄとを有する。
【０１０７】
第３見出し左端辺４３２ａの上記した第１係止部１２０ａに対応した位置（第３見出し左端辺４３２ａの上端の近傍の位置）には、略四角形状の左端上方切欠き部４３４ａが形成される。左端上方切欠き部４３４ａは、係止差込み部を構成する。
また、第３見出し左端辺４３２ａの上記した第２係止部１２０ｂに対応した位置（第３見出し左端辺４３２ａの下端の近傍の位置）には、略四角形状の左端下方切欠き部４３４ｂが形成される。左端下方切欠き部４３４ｂは、係止差込み部を構成する。
左端上方切欠き部４３４ａおよび左端下方切欠き部４３４ｂの高さ方向の寸法は、それぞれ、上記した第１係止部１２０ａの側面１２２ａを構成する第１係止根元部１７２および上記した第２係止部１２０ｂの側面１２２ｂを構成する第２係止根元部１８２の高さ方向の寸法とほぼ等しい。
第３見出し左端辺４３２ａは、その中央部分（左端上方切欠き部４３４ａと左端下方切欠き部４３４ｂとの接続部分）が高さ方向に沿って略直線状に延び、その上端部（左端上方切欠き部４３４ａよりも上部）が左端上方切欠き部４３４ａの上端部から第３見出し右端辺４３２ｂの方へと傾斜して上方へと延び、その下端部（左端下方切欠き部４３４ｂよりも下部）が左端下方切欠き部４３４ｂの下端部から第３見出し右端辺４３２ｂの方へと傾斜して下方へと延びる。
【０１０８】
第３見出し右端辺４３２ｂには、その高さ方向の略中央から略四角形状の第３把持部４５２が突設される。第３見出し右端辺４３２ｂと第３把持部４５２の左端辺とは、互いに一体的に形成される。第３見出し右端辺４３２ｂは、その上方部分である第３把持部４５２よりも上部が高さ方向に沿って略直線状に延び、且つその下方部分である第３把持部４５２よりも下部も高さ方向に沿って直線状に延びる。
第３把持部４５２の高さ方向の寸法（すなわち、第３把持部４５２の上端辺と下端辺との間の距離）は、第３見出し左端辺４３２ａに形成される左端上方切欠き部４３４ａの下端辺と左端下方切欠き部４３４ｂの上端辺との間の距離に等しいかまたはほぼ等しい。
【０１０９】
抜差し方向被案内上部４３２ｃは、表紙本体２０の第３開口端辺１１２ｃに対応するように幅方向に略直線状に延びる。抜差し方向被案内上部４３２ｃには、その略中央部（第３見出し左端辺４３２ａに形成される左端上方切欠き部４３４ａ（または左端下方切欠き部４３４ｂ）の右端辺と、第３見出し右端辺４３２ｂとを結ぶ直線の中央部を通り高さ方向に沿って延びる直線と交差する部分）を切り欠くように、上端中央切欠き部４３６ａが形成される。
抜差し方向被案内下部４３２ｄは、表紙本体２０の第４開口端辺１１２ｄに対応するように幅方向に略直線状に延びる。抜差し方向被案内下部４３２ｄには、その略中央部（第３見出し左端辺４３２ａに形成される左端上方切欠き部４３４ａ（または左端下方切欠き部４３４ｂ）の右端辺と、第３見出し右端辺４３２ｂとを結ぶ直線の中央部を通り高さ方向に沿って延びる直線と交差する部分）を切り欠くように、下端中央切欠き部４３６ｂが形成される。
【０１１０】
第３変形見出し材４３０は、その幅方向の略中央を延び、且つ上端中央切欠き部４３６ａと下端中央切欠き部４３６ｂとを結び高さ方向に沿って延びる第３見出し折曲げ線４３８を有する。
第３見出し折曲げ線４３８において折り曲げられた第３変形見出し材４３０は、第３見出し左端辺４３２ａに形成される左端上方切欠き部４３４ａ（および左端下方切欠き部４３４ｂ）の右端辺と、第３見出し右端辺４３２ｂとが同じかまたはほぼ同じ位置を高さ方向に延びるようになる。そして、高さ方向の寸法が互いに等しいかほぼ等しい第３把持部４５２と、第３見出し左端辺４３２ａの中央部分（左端上方切欠き部４３４ａと左端下方切欠き部４３４ｂとの接続部分）とが厚み方向に重なり合うが、第３把持部４５２のほうが第３見出し左端辺よりも幅方向に突出するようになる。
【０１１１】
第３変形見出し材４３０の高さ方向の寸法（すなわち、第３見出し左端辺４３２ａおよび第３見出し右端辺４３２ｂの長さ寸法）は、表紙本体２０に形成された開口部１１０の高さ方向の寸法（すなわち、第１開口端縁１１２ａおよび第２開口端縁１１２ｂの長さ寸法）に等しいかまたはほぼ等しい。
また、第３変形見出し材４３０の第３見出し右端辺４３２ｂから第３見出し折曲げ線４３８までの幅方向の間隔（すなわち、第３変形見出し折曲げ線４３８で折り曲げたときの第３変形見出し材４３０の幅方向の寸法）は、表紙本体２０の裏表紙接続部３４から第１開口端辺１１２ａまでの幅方向の間隔に等しいかまたはほぼ等しい。すなわち、二つ折りにした第３変形見出し材４３０の幅方向の寸法は、表紙本体２０に形成された凹部１００の幅方向の寸法よりも小さい。
【０１１２】
第３変形見出し材４３０を表紙本体２０の凹部１００に収納するには、まず、第３変形見出し材４３０を第３変形折曲げ線４３８で折り曲げて二つを折りにする。
次に、二つ折りにした第３変形見出し材４３０を、第３把持部４５２の形成された側を平面視手前側にして、且つ第３変形折曲げ線４３８（抜差し端辺）を先端として、表紙本体２０の凹部１００の第１開口端辺１１２ａの側（すなわち、凹部１００の第１係止部１２０ａおよび第２係止部１２０ｂが形成される側の端辺）から凹部１００に第３把持部４５２を把持して差し込んでいく。
二つ折りにした第３変形見出し材４３０は、その先端に位置する第３見出し折曲げ線４３８が凹部１００の第２開口端辺１１２ｂと同じかまたはほぼ同じ位置になるまで差し込む。このとき、第３変形見出し材４３０は、平面視したとき、その奥側の面に位置している第３見出し右端辺４３２ｂに形成された左端上方切欠き部４３４ａおよび左端下方切欠き部４３４ｂの第３見出し折曲げ線４３８側の端辺が、表紙本体２０の第１係止部１２０ａ、第２係止部１２０ｂの第２開口端辺１１２ｂ側の端辺よりも背表紙部２６側に位置するようになる。また、このとき、表紙本体２０を内側から見たときにおいて、表紙本体２０の第１係止先端上部１７６ｃの奥側に、第３変形見出し材４３０の左端上方切欠き部４３４ａの上端辺の左端側を入り込ませ、表紙本体２０の第１係止先端下部１７６ｂの奥側に、第３変形見出し材４３０の左端上方切欠き部４３４ａの下端辺の左端側を入り込ませる。同様に、表紙本体２０の第２係止先端下部１８６ｂの奥側に、第３変形見出し材４３０の左端下方切欠き部４３４ｂの下端辺の左端側を入り込ませる。
そして、第３把持部４５２を把持して第３変形見出し材４３０を左側に引っ張る。具体的には、二つ折りにされた第３変形見出し材４３０の手前側の面に位置する第３把持部４５２をやや手前側に（すなわち、表紙本体２０の内側表面から離れるように）持ち上げながら、左側に引っ張る。このとき、二つ折りにされた第３変形見出し材４３０の第３変形見出し材４３０は、その左端上方切欠き部４３４ａの上端辺の左端側が表紙本体２０の第１係止先端上部１７６ｃの奥側に入り込み、その左端上方切欠き部４３４ａの下端辺の左端側が表紙本体２０の第１係止先端下部１７６ｂの奥側に入り込み、その左端下方切欠き部４３４ｂの下端辺の左端側が表紙本体２０の第２係止先端下部１８６ｂの奥側に入り込み、且つ幅方向の略中央が綴じ具３００の奥側に入り込んでいるため、表紙本体２０の凹部１００の内部を表紙本体２０の延在する方向に沿って左側に移動する。このとき、第３変形見出し材４３０の左端上方切欠き部４３４ａに第１係止根元部１７２が入り込んでいく。最後には、第３変形見出し材４３０の左端上方切欠き部４３４ａの右端辺が第１係止根元部１７２の背表紙部２６側の面に当接する。同様に、第３変形見出し材４３０の左端下方切欠き部４３４ｂに第２係止根元部１８２が入り込んでいく。最後には、第３変形見出し材４３０の左端下方切欠き部４３４ｂの右端辺が第２係止根元部１８２の背表紙部２６側の面に当接する。このとき、第３変形見出し材４３０の第３見出し折曲げ線４３８の幅方向の位置が、表紙本体２０の裏表紙接続部３４の幅方向の位置と同じかまたはほぼ同じになる。また、第３変形見出し材４３０の手前側の面（第３把持部４５２が形成される面）の把持部４５２を除く部分の端辺（第３見出し右端辺４３２ｂ）の幅方向の位置が、凹部１００の第１開口端辺１１２ａの幅方向の位置と同じかまたはほぼ同じになる。
第３把持部４５２の高さ方向の寸法は、第１係止部１２０ａの下方端辺と第２係止部１２０ｂの上方端辺とが表紙本来２０の高さ方向において離間する距離に等しいかまたはやや小さい。
【０１１３】
第３変形見出し材４３０の第３基礎部４３２は、抜差し方向被案内上部４３２ｃと抜差し方向被案内下部４３２ｄとが平行である。
第３変形見出し材４３０の第３基礎部４３２は、抜差し方向被案内上部４３２ｃ及び抜差し方向被案内下部４３２ｄと直交する第３見出し折曲げ線４３８において二つ折りに折り曲げられて、第３見出し折曲げ線４３８によって形成された差し込み端縁と表表紙接続部３２及び裏表紙接続部３４と直交するように凹部１００に取り付けられている。
第３変形見出し材４３０の第３基礎部４３２は、抜差し方向被案内上部４３２ｃ及び抜差し方向被案内下部４３２ｄと表表紙接続部３２及び裏表紙接続部３４と直交するように凹部１００に取り付けられている。
第３変形見出し材４３０の第３基礎部４３２は、その表面に見出し欄が形成され、表面が上側すなわち表紙１０の外側を向いて、凹部１００に取り付けられる。
上記のようにして第３変形見出し材４３０を表紙本体２０の凹部１００に収納した後、表紙本体２０を表表紙接続部３２および裏表紙接続部３４の箇所で折り曲げ、且つ透明シート２００を表表紙透明シート接続部２３２および裏表紙透明シート接続部２３４の箇所で折り曲げる。このとき、第３変形見出し材４３０は、その第３表表紙接続折曲げ線４４０ａ，４４０ｂが、表紙本体２０の表表紙接続部３２および透明シート２００の表表紙透明シート接続部２３２と共に折り曲げられる。
【０１１４】
見出し部１５０の間隙部８０および第１裏面側保持部１２０ａ、１２０ｂは、少なくとも表表紙部２２の側に設けられ、見出し材４００は、表表紙部２２の側に設けられた間隙部８０から見出し部１５０に差し込まれ、且つ表表紙部２２の側に設けられた第１裏面側保持部１２０ａ、１２０ｂの表紙本体２０の厚さ方向に延びる側面１２２を挟むようにして見出し部１５０の内部で位置決めされ、第１裏面側保持部１２０ａ、１２０ｂは、見出し材４００の裏面を下受けするように表紙本体２０の高さ方向に突出する係止突出部１７６ｂ、１７６ｃ、１８６ｂを有する。
【０１１５】
＜効果について＞
この実施の形態に係る見出し部１５０は、表紙本体２０の外側表面６０と、透明シート２００の外側表面（見出し部１５０の外側表面２６０）とがフラットになるように配設されるため、従来の見出し部のように表紙本体２０の外側表面６０から飛び出した状態にならない。したがって、見出し部１５０が外部の物体と接触する頻度が低くなる。さらに、見出し部１５０と表紙本体２０の境界部分に段差がないため、外部の物体に引っ掛かることもない。その結果、表紙１０全体として破れたり撓んだりすることがない。また、強度を高めるために表紙本体２０から鉄枠などを突設する必要もない。以上により、十分な強度を有するとともに、製造コストを低く抑えることができる。
【０１１６】
また、この実施の形態に係る見出し部１５０を構成する凹部１００は、表紙本体２０と一体的に形成される。この構成により、より少ない部材で表紙１０を構成することができる。また、凹部１００は、上下方向に延びる間隙部８０（第１間隙部８０ａおよび第２間隙部８０ｂ）を有する。この構成により、第３変形見出し材４３０を撓ませながら、間隙部８０から見出し部１５０（凹部１００）の内部に容易に挿入することができる。
【０１１７】
また、透明シート２００と凹部１００の間に形成される空間に第３変形見出し材４３０を保持することにより、確実に第３変形見出し材４３０を保持することができる。より具体的には、まず、第３変形見出し材４３０の表面に対向する位置に設けられる透明シート２００によって、第３変形見出し材４３０の上方がカバーされる。さらに、第３変形見出し材４３０の裏面に対向する位置に設けられる凹部１００の第１下受け部１２０ａの底面１２４ａ〜第４下受け部１２０ｄの底面１２４ｄに第３変形見出し材４３０の裏面の四隅近傍が支持されるとともに、第５下受け部１２０ｅの底面１２４ｅに第３変形見出し材４３０の裏面の幅方向の中央近傍が支持される。これにより、確実に見出し部１５０の内部に第３変形見出し材４３０を保持することができる。
【０１１８】
また、第１下受け部１２０ａの底面１２４ａ（および第２下受け部１２０ｂの底面１２４ｂ）を平面視したときの面積が、第３下受け部１２０ｃの底面１２４ｃ（および第４下受け部１２０ｄの底面１２４ｃ）のそれよりも大きいことにより、容易に見出し部１５０の内部に第３変形見出し材４３０を挿入することができる。
より具体的には、表紙本体２０または第３変形見出し材４３０を撓ませながら、第３変形見出し材４３０を間隙部８０ｂから見出し部１５０の内部に挿入し、その後見出し材１５０の裏面を第１下受け部１２０ａの底面１２４ａ〜第５下受け部１２０ｅの底面１２４ｅに載置することを容易に行うことができる。
これは、第３下受け部１２０ｃの底面１２４ｃ（および第４下受け部１２０ｄの底面１２４ｃ）が小さいため、十分大きい第２間隙部８０ｂが確保され、支障なく第２間隙部８０ｂから第３変形見出し材４３０を挿入できるためである。さらに、第１下受け部１２０ａの底面１２４ａ（および第２下受け部１２０ｂの底面１２４ｂ）が大きいため、第３変形見出し材４３０の裏面と当接する面積が十分大きくなり、より安定して見出し材１５０を下受け部１２０の底面１２４に載置することができる。
【０１１９】
また、この実施の形態に係る綴じ具３００のための固定部９０が表紙本体２０の厚み方向に凹部１００と同等またはそれ以上の深さに凹む態様で設けられることによる効果について説明する。この実施の形態に係る表紙本体２０をその内側から見ると、背表紙部２６の内側表面において、凹部１００が背表紙部２６の厚み方向に突出する態様になる。すなわち、綴じ具３００の下面が凹部１００の突出する上面（すなわち、下受け部１２０の底面１２４）に当接する。すると、綴じ具３００の下面と背表紙部２６の内側表面とが離間した状態になる。この状態では、綴じ具３００を鋲などの固定手段により背表紙部２６の内側表面に固定することが困難である。そこで、表紙本体２０の厚み方向に凹部１００と同等またはそれ以上の深さに凹む態様の（すなわち、背表紙部２６の内側表面において突出する態様の）固定部９０を設ける。この構成により、綴じ具３００の下面と固定部９０とが確実に当接するため、鋲などの固定手段を用いて容易に背表紙部２６の内側表面に綴じ具３００を固定することが可能となる。さらに、固定部９０の凹んだ部分に鋲の頭部が入り込むため、鋲の頭部が表紙本体２０の外側表面６０から飛び出した状態にならないという効果も奏する。
【０１２０】
この実施の形態に係る第３変形見出し材４３０は、上記のように、第３見出し折曲げ線で二つ折りにしてから表紙本体２０の凹部１００に挿入することにより、その手間側に位置する面に形成される第３把持部４５２を手前側（すなわち、表紙本体２０の内側表面から離れる側）に持ち上げながら、その奥側の面を凹部１００内で表紙本体２０の表面に沿う方向に移動させることができる。したがって、第３変形見出し材４３０は、その左端上方切欠き部４３４ａを表紙本体２０の第１係止部１２０ａに係止させ、且つその左端下方切欠き部４３４ｂを表紙本体２０の第２係止部１２０ｂに係止させることを容易に行うことができる。
また、第３変形見出し材４３０の左端上方切欠き部４３４ａの高さ方向の寸法と、表紙本体２０の第１係止根元部１７２の高さ方向の寸法とが互いに等しいかまたはほぼ等しく、且つ第３変形見出し材４３０の左端下方切欠き部４３４ｂの高さ方向の寸法と、表紙本体２０の第２係止根元部１８２の高さ方向の寸法とが互いに等しいかまたはほぼ等しいため、第３変形見出し材４３０が確実に第１係止部１２０ａおよび第２係止部１２０ｂに係止され、位置決めされる。
また、第３把持部４５２の高さ方向の寸法は、第１係止部１２０ａの下方端辺と第２係止部１２０ｂの上方端辺とが表紙本体２０の高さ方向において離間する距離に等しいかまたはやや小さいため、第３把持部４５２が第１係止部１２０ａおよび第２係止部１２０ｂに妨げられることなく第１係止部１２０ａおよび第２係止部１２０ｂよりも表表紙部２２の側に突出することができる。
また、第１係止部１２０ａが見出し材４００の左端上方切欠き部４３４ａの周辺を下受けするように第１係止先端下部１７６ｂおよび第１係止先端上部１７６ｃを有する略Ｔ字形状であるため、見出し部１５０に収納された見出し材４００は、その左端上方切欠き部４３４ａの周辺が第１係止先端下部１７６ｂおよび第１係止先端上部１７６ｃに引っ掛ることにより、見出し部１５０から抜け出にくくなる。
一方、第２係止部１２０ｂは、第１係止部１２０ａの第１係止先端下部１７６ｂのように表紙本体２０の高さ方向の内側に突出する部分を有しない略Ｌ字形状である。これにより、見出し部１５０に収納された見出し材４００を取り出す際、第２係止部１２０ｂに見出し材４００が引っ掛らず、容易に引き抜くことができる。
なお、第１係止部１２０ａは、第２係止部１２０ｂと同様に、表紙本体２０の高さ方向の内側に突出する部分（第１係止先端下部１７６ｂ）を有さなくてもよい。これにより、第１係止部１２０ａおよび第２係止部１２０ｂの双方が、表紙本体２０の高さ方向の内側に突出する部分を有さず、表紙本体２０の高さ方向の外側に突出する部分（第１係止先端上部１７６ｃ、第２係止先端下部１８６ｂ）を有する略Ｌ字形状となる。これにより、見出し部１５０に収納された見出し材４００を取り出す際、第２係止部１２０ｂに見出し材４００がより引っ掛りにくくなり、容易に引き抜くことができる。
【０１２１】
＜表紙１０の製造方法について＞
次に、図３５〜４１を参照して、この実施の形態に係る表紙１０の製造方法について説明する。まず、表表紙部２２と、裏表紙部２４と、背表紙部２６と、複数の切欠き部とを含む表紙本体を作製する。複数の切欠き部は、後に間隙部８０となるものであり、凹部１００、固定部９０を形成するために設けられる。
また、このとき、第１開口端辺１１２ａには、第１係止部１２０ａの上下方向の両端辺それぞれが延長する態様で、切り込みが設けられるとともに、第２係止部１２０ｂの上下方向の両端辺それぞれが延長する態様で、切り込みが設けられる。また、第３開口端辺１１２ｃには、第５下受け部１２０ｅの幅方向の両端辺それぞれが延長する態様で、切り込みが設けられる。また、第４開口端辺１１２ｄにも、第５下受け部１２０ｅの幅方向の両端辺それぞれが延長する態様で、切り込みが設けられる。
このときの表紙本体２０を内側表面７０から見た平面図を図３５に示す。この平板状の表紙本体２０の作製は、トムソン加工により行うことができる。したがって、金型を用いて製造する場合に比べて、製造コストを低く抑えることができる。
【０１２２】
次に、凹部１００の開口端縁１１２に対応する形状の透明シート端縁２１２を有する透明シート２００を作製する。この透明シート２００は、例えば、ポリプロピレンなどの熱可塑性合成樹脂によって形成される。
【０１２３】
次に、表紙本体２０をその外側表面６０から切欠き部の外側端縁を含む形状に熱圧することにより、切欠き部を変形させて第３変形見出し材４３０を見出し部１５０の内部に挿入するための間隙部８０を形成するとともに、表紙本体２０の外側表面６０から厚み方向に凹む態様の裏面側保持部たる凹部１００を形成する。このとき凹部１００は、間隙部８０（第１間隙部８０ａおよび第２間隙部８０ｂ）と、孔部８２（第１孔部８２ａおよび第２孔部８２ｂ）と、下受け部１２０（第１係止部１２０ａ、第２係止部１２０ｂおよび第５下受け部１２０ｅ）とを含んで形成される。また、凹部１００と同様に、固定部９０（第１固定部９０ａおよび第２固定部９０ｂ）を形成するための切欠きを中央にして円形状に表紙本体２０を熱圧する。このようにして、凹部１００と同様の深さに凹む固定部９０を形成する。なお、このとき、第１係止部１２０ａ、第２係止部１２０ｂおよび第５下受け部１２０ｅは、第１開口端辺１１２ａ〜第４開口端辺１１２ｄに設けた切り込み（切り刃）の開口部１１０とは反対側の端部から表紙本体２０の厚み方向に凹む。こうすることで、開口端縁１１２の下受け部１２０の部分に凹凸が形成されず、開口部１１０を綺麗な矩形状にすることが可能となる。このときの様子を図３６に示す。また、見出し部周辺の拡大図を図３７に示す。
【０１２４】
次に、凹部１００の開口端縁１１２の内側に、透明シート２００の透明シート端縁２１２を対応させて宛がう。このときの様子を図３８に示す。また、図３８のＶ−Ｖ断面図を図３９に示す。このとき、凹部１００の開口部１１０は、透明シート２００と同等または幾分大きい面積を有し、且つ開口端縁１１２と透明シート端縁２１２とは互いに対応した形状を有する。したがって、凹部１００の開口部１１０に透明シート２００を宛がうと、図３８に示すように、開口部１１０の内部に透明シート２００が綺麗に納まった状態になる。なお、このとき、図示するように、表紙本体２０の外側表面６０および透明シート２００の外側表面２６０が載置面に当接するように載置する。
【０１２５】
次に、溶着端縁８８と透明シート端縁２１２とを、表紙本体２０の外側表面６０と、透明シート２００の外側表面２６０とがフラットになるように表紙本体２０の内側表面７０から溶着する。ここで、溶着端縁８８とは、図４０にハッチングして示す端縁のことである。すなわち、溶着端縁８８とは、開口部１１０の開口端縁１１２の一部であって、開口端縁１１２から下受け部１２０の側面１２２（すなわち、第１係止部１２０ａの側面１２２ａ、第２係止部の側面１２２ｂおよび第５下受け部１２０ｅの側面１２２ｅ）が突設される部分を除いた端縁のことである。ここで、上記したように、凹部１００の開口部１１０は、透明シート２００と同等または幾分大きい面積を有し、且つ開口端縁１１２（および溶着端縁８８）と透明シート端縁２１２とは互いに対応した形状を有する。したがって、溶着を行う際に、溶着端縁８８と透明シート端縁２１２とが互いに沸き出して広がることにより繋がって一体化し、十分な強度で溶着しあうことが可能となる。
【０１２６】
最後に、表紙本体２０を折り曲げて表表紙部２２、裏表紙部２４および背表紙部２６を形成する。より具体的には、表紙本体２０を表表紙接続部３２および第１係止部１２０ａ（および第２係止部１２０ｂ）と第５下受け部１２０ｅとの間で折り曲げ、表表紙部２２、裏表紙部２４および背表紙部２６を形成する。上記のようにして、表紙本体２０の凹部１００に透明シート２００が溶着された表紙１０が完成する。
【０１２７】
また、図４２に示すように、背表紙部２６の内側表面における凹部１００の底面（すなわち、下受け部１２０の底面１２４）に被さるように綴じ具３００を固定する。具体的には、表紙本体２０の凹部１００の上端辺よりも上方の部分に設けられる第１固定部９０ａと、凹部１００の下端辺よりも下方の部分に設けられる第２固定部９０ｂとを通して、鋲により綴じ具３００の長手方向の両端部を固定する。このようにして、この実施の形態に係る表紙１０を主要な構成とするファイル２が完成する。
【０１２８】
＜第５実施の形態について＞
次に、図４３〜５０を参照して、この発明に係る表紙１０の第５実施の形態について説明する。上記した第４実施の形態の表紙１０では、背表紙部２６の内側表面に複数のリング部３１４を有する綴じ具３００が設けられた。一方で、この第５実施の形態の表紙１０では、いわゆるパンチレスの綴じ具３００が裏表紙部２４（における背表紙部２６の近傍）に設けられる。したがって、第５実施の形態に係る表紙１０は、このパンチレスの綴じ具３００に対応した構成の見出し部１５０（凹部１００）や綴じ具３００のための固定部９０を有する。この点において、この第５実施の形態に係る表紙１０は、上記した第４実施の形態と異なる。なお、この第５実施の形態に係る表紙１０の、第４実施の形態の間隙部８０、固定部９０および下受け部１２０に対応する構成を除く他の構成は、上記した第４実施の形態と同じであるため、同一部分には同じ参照番号を付し、同様となる説明は繰り返さない。
【０１２９】
図４２は、この第５実施の形態に係る表紙１０を主要な構成とするファイル２を見開いた状態を内側から見たときの斜視図である。上記したように、この実施の形態に係る表紙１０は、裏表紙部２４における背表紙部２６の近傍にいわゆるパンチレスの綴じ具３００が設けられる。
【０１３０】
＜パンチレスの綴じ具３００について＞
ここで、パンチレスの綴じ具３００とは、背表紙部２６の延びる方向と表紙本体２０の厚み方向とが交わる平面において回動自在に設けられるレバー部と、このレバー部に設けられる係合部に係合して、レバー部を裏表紙部２４の内側表面の近傍において位置決めする係止部と、レバー部の回動操作に連動して表紙本体２０の厚み方向に移動し、複数枚の用紙４００をその上面から押さえつけるための押え部とを備える。
【０１３１】
すなわち、この実施の形態に係るパンチレスの綴じ具３００に複数枚の用紙５００を綴じるには、次のような手順を行う。まず、レバー部を持ち上げられた状態（すなわち、裏表紙部２４の内側表面から離れた状態）にする。このとき、レバー部に連動して動作する押え部も裏表紙部２４から離れた状態になる。この状態の押え部の下面と裏表紙部２４の内側表面との間に、複数枚の用紙５００をその幅方向の端辺近傍を位置させて、裏表紙部２４の内側表面に載置する。次に、レバー部を回動させて裏表紙部２４の近傍まで引き下げる。そして、レバー部の係合部を係止具に係合させることにより、レバー部を裏表紙部２４の内側表面の近傍において位置決めする。このとき、レバー部に連動する押え部も裏表紙部２４の内側表面に向かって移動し、その下面が複数枚の用紙５００の上面を押さえつける。このようにして、複数枚の用紙５００は、綴じ具３００の押え部の下面と裏表紙部２４の内側表面との間に綴じられる。
【０１３２】
＜第５実施の形態に係る表紙１０について＞
次に、図４３〜４７を参照して、第５実施の形態に係る表紙１０の詳細な構成について説明する。図４３は、この発明の第５の実施の形態に係る表紙を主要な構成とするファイルを見開いた状態を内側から見たときの斜視図である。また、図４４は、この実施の形態に係る表紙１０を見開いた状態を外側から見たときの平面図である。また、図４５は、この実施の形態に係る表紙１０を見開いた状態を内側から見たときの平面図である。また、図４６は、この発明の第４の実施の形態に係る表紙の見出し部周辺の拡大図であり、（Ａ）が見出し部全体周辺の拡大図、（Ｂ）が第１係止部周辺の拡大図、（Ｃ）が第２係止部周辺の拡大図である。また、図４７（Ａ）は、図４６のＶＩＩ−ＶＩＩ断面図であり、図４７（Ｂ）は、図４６のＶＩＩＩ−ＶＩＩＩ断面図であり、図４７（Ｃ）は、図４６のＩＸ−ＩＸ断面図である。
【０１３３】
＜第５実施の形態に係る表紙本体２０について＞
この実施の形態に係る表紙本体２０は、上記した第４実施の形態と同様に、背表紙部２６の上下方向の略中央と、その両脇の表表紙部２２および裏表紙部２４の略中央とに亘って設けられる見出し部１５０を備える。また、見出し部１５０は、上記した第実施の形態と同様に、表紙本体２０に設けられる凹部１００と、凹部１００の開口端縁１１２に溶着される透明シート２００とから構成される。
【０１３４】
＜第５実施の形態に係る見出し部１５０について＞
この実施の形態に係る見出し部１５０は、幅方向の寸法が上記した第４実施の形態の見出し部１５０よりも小さい。
【０１３５】
＜第５実施の形態に係る間隙部８０について＞
また、この実施の形態に係る間隙部８０は２つ設けられる。すなわち、間隙部８０は、図中２点鎖線で示す表表紙接続部３２に上下方向に沿って、且つ幅方向に跨り、表表紙部２２および背表紙部２６に設けられる上下方向に延びるこの実施の形態に係る第１間隙部１０８０ａと、同じく図中二点鎖線で示す裏表紙接続部３４に上下方向沿って幅方向に跨り、裏表紙部２４および背表紙部２６に設けられる上下方向に延びるこの実施の形態に係る第２間隙部１０８０ｂとを含む。この実施の形態に係る第１間隙部１０８０ａおよび第２間隙部１０８０ｂは、上記した第４実施の形態の第１間隙部８０ａ、第２間隙部８０ｂにそれぞれ対応する。なお、上記した第４実施の形態の孔部８２は存在しない。
【０１３６】
＜第５実施の形態に係る下受け部１２０について＞
また、この実施の形態に係る下受け部１２０は３つ設けられる。すなわち、下受け部１２０は、第１間隙部１０８０ａの表表紙部２２側の上下方向に延びる端辺の上方部分に設けられる第１係止部１１２０ａと、同じく第１間隙部１０８０ａの表表紙部２２側の上下方向に延びる端辺の下方部分に設けられる第２係止部１１２０ｂと、背表紙部２６の幅方向の中心線に沿って跨り、且つ凹部１００の上端辺と下端辺を結ぶ態様で設けられる第３下受け部１１２０ｃとを含む。
【０１３７】
この実施の形態に係る第１係止部１１２０ａ、第２係止部１１２０ｂおよび第３下受け部１１２０ｃは、上記した第４実施の形態の第１係止部１２０ａ、第２係止部１２０ｂおよび第５下受け部１２０ｅにそれぞれ対応する。
【０１３８】
すなわち、第１係止部１１２０ａは平面視略Ｔ字形状を有し、第２係止部１１２０ｂは平面視略Ｌ字形状を有する。また、第１係止部１１２０ａの底面１１２４ａ（および第２係止部１１２０ｂの底面１１２４ｂ）は、第１間隙部１０８０ａの表表紙部２２側の上下方向に延びる端辺から、背表紙部２６の幅方向の中心線に向かって延び、その先端部は表表紙接続部３２に至らない範囲に位置する。
【０１３９】
第３下受け部１１２０ｃは、背表紙部２６の幅方向の中心線について対称な形状を有する。また、第３下受け部１１２０ｃの表表紙部２２側の上下方向に延びる端辺は、表表紙接続部３２よりも背表紙部２６の中心線側に位置する。同様に、第３下受け部１１２０ｃの裏表紙部２４側の上下方向に延びる端辺は、裏表紙接続部３４よりも背表紙部２６の中心線側に位置する。つまりは、第３下受け部１１２０ｃは、平面視したとき、表表紙接続部３２と裏表紙接続部３４の間に位置する。
【０１４０】
すなわち、表表紙接続部３２と連続的に一直線状になる表表紙透明シート接続部２３２が、第１下受け部１１２０ａ（および第２下受け部１１２０ｂ）と第３下受け部１１２０ｃとの間を通る態様となる。
【０１４１】
第５下受け部１１２０ｃは、その上端縁に形成される上下方向に延びる下受け中央上方接続部１１６０ａと、その下端縁に形成される上下方向に延びる下受け中央下方接続部１１６０ｂとにより、開口部１１０の第４開口端辺１１２ｄと一体的に接続される。
【０１４２】
＜第５実施の形態に係る固定部９０について＞
この実施の形態に係る固定部９０は、裏表紙部２４における凹部１００の上端辺と表表紙側２２側の端辺とで形成される角部の近傍に設けられる第１固定部１０９０ａと、裏表紙部２４における凹部１００の下端辺と表表紙部２２側の端辺とで形成される角部の近傍に設けられる第２固定部１０９０ｂとを含む。第１固定部１０９０ａと第２固定部１０９０ｂを結ぶ直線は、図中二点鎖線で示す表表紙接続部３２および裏表紙接続部３４と平行になる。
【０１４３】
なお、この実施の形態に係る固定部９０（すなわち第１固定部１０９０ａおよび第２固定部１０９０ｂ）は、裏表紙部２４の上記した位置に設けられる単純な孔である。すなわち、上記した第４実施の形態のように、凹部１００と同等またはそれ以上の深さに凹む態様ではない。
【０１４４】
＜第４変形見出し材４４０について＞
図４８は、この発明の第５の実施の形態に係る第４変形見出し材を示す図であり、（Ａ）が第４見出し折曲げ線で折り曲げる前の平面図、（Ｂ）が第４見出し折曲げ線で折り曲げる様子を示した斜視図である。図４９は、この発明の第５の実施の形態に係る見出し材を表紙本体の凹部に収納する際の様子を示す図であり、（Ａ）が第４変形見出し材を裏表紙部の側まで差し込んだ状態を示す図であり、（Ｂ）が第４変形見出し材を凹部に収納した状態を示す図である。
【０１４５】
この実施の形態に係る第４変形見出し材４４０は、上記した第４の実施の形態に係る第３変形見出し材４３０とその幅方向の寸法が小さいことを除いて同様の形状を有する。したがって、図４８および４９では上記した第４の実施の形態に係る第５変形見出し材４３０と同じ構成には同じ参照番号を付し、説明を繰り返さない。
【０１４６】
＜第５実施の形態に係る表紙１０の製造方法について＞
この実施の形態に係る表紙１０の製造方法は、上記した第４実施の形態と同様であるため、その説明は繰り返さない。なお、この実施の形態の溶着端縁８８は、図５０にハッチングして示す端縁である。すなわち、この実施の形態の溶着端縁８８は、開口部１１０の開口端縁１１２の一部であって、開口端縁１１２から下受け部１２０の側面１２２（すなわち、第１下受け部１１２０ａの側面１１２２ａ〜第３下受け部１１２０ｃの側面１１２０ｃ）が突設される部分を除いた端縁である。
【０１４７】
＜第５実施の形態に係る表紙１０の効果について＞
この実施の形態に係る表紙１０の見出し部１５０は、幅方向の寸法が上記した第４実施の形態よりも小さい。これにより、パンチレスの綴じ具３００のための固定部９０を裏表紙部２４における背表紙部２６のより近傍に設けることができる。つまりは、綴じ具３００を裏表紙部２４における背表紙部２６のより近傍に固定できる。こうすることにより、複数枚の用紙５００を背表紙部２６のより近傍で綴じることができる。したがって、より安定して複数枚の用紙５００をファイル２に綴じることができる。また、この実施の形態では、第３下受け部１１２０ｃが、その上端縁に形成された下受け中央上方接続部１１６０ａと、その下端縁に形成された下受け中央下方接続部１１６０ｂとにより、表紙本体２０の開口部１１０の開口端縁１１２と一体的に接続される。すなわち、第３下受け部１１２０ｃは、その上端縁および下端縁それぞれが一本足の接続部により表紙本体２０の開口部１１０の開口端縁１１２と一体的に接続される。これにより、上記した第４の実施の形よりも開口部１１０の開口端縁１１２の溶着できる寸法が長くなる。その結果、透明シート２００を開口部１１０の開口端縁１１２により強固に溶着することができる。
【０１４８】
以上のように、本発明の実施の形態は、前記記載で開示されているが、本発明は、これに限定されるものではない。すなわち、本発明の技術的思想及び目的の範囲から逸脱することなく、以上説明した実施の形態に対し、形状、材質、数量、位置若しくは配置等に関して当業者が様々な変更を加えることができるものであり、それらは、本発明に含まれるものである。
【符号の説明】
【０１４９】
２  ファイル
１０  表紙
２０  表紙本体
２２  表表紙部
２４  裏表紙部
２６  背表紙部
３２  表表紙接続部
３４  裏表紙接続部
６０  表紙本体の外側表面
６０ａ  表表紙部の外側表面
６０ｂ  裏表紙部の外側表面
６０ｃ  背表紙部の外側表面
７０  表紙本体の内側表面
８０  間隙部
８０ａ  第１間隙部
８０ｂ  第２間隙部
１０８０ａ  第１間隙部
１０８０ｂ  第２間隙部
２０８０ａ  第１間隙部
２０８０ｂ  第２間隙部
８２  孔部
８２ａ  第１孔部
８２ｂ  第２孔部
８８  溶着端縁
９０  固定部
９０ａ  第１固定部
９０ｂ  第２固定部
１０９０ａ  第１固定部
１０９０ｂ  第２固定部
２０９０ａ  第１固定部
２０９０ｂ  第２固定部
１００  凹部
１１０  開口部
１１２  開口端縁
１１２ａ  第１開口端辺
１１２ｂ  第２開口端辺
１１２ｃ  第３開口端辺
１１２ｄ  第４開口端辺
１２０  下受け部
１２０ａ  第１下受け部、第１係止部
１２０ｂ  第２下受け部、第２係止部
１２０ｃ  第３下受け部
１２０ｄ  第４下受け部
１２０ｅ  第５下受け部
１１２０ａ  第１下受け部、第１係止部
１１２０ｂ  第２下受け部、第２係止部
１１２０ｃ  第３下受け部
２１２０ａ  第１下受け部
２１２０ｂ  第２下受け部
２１２０ｃ  第３下受け部
２１２０ｄ  第４下受け部
２１２０ｅ  第５下受け部
１２２  下受け部の側面
１２４  下受け部の底面
１３０  下受け本体部
１３８  反上り部
１４２  下受け上部架橋部
１４４  下受け下部架橋部
１５０  見出し部
１６０ａ  下受け表表紙側上方接続部
１６０ｂ  下受け裏表紙側上方接続部
１６０ｃ  下受け表表紙側下方接続部
１６０ｄ  下受け裏表紙側下方接続部
１１６０ａ  下受け中央上方接続部
１１６０ｂ  下受け中央下方接続部
１７２  第１係止根元部
１７４  第１係止先端部
１７６ａ  第１係止先端基礎部
１７６ｂ  第１係止先端下部
１７６ｃ  第１係止先端上部
１８２  第２係止根元部
１８４  第２係止先端部
１８６ａ  第２係止先端基礎部
１８６ｂ  第２係止先端下部
２００  透明シート
２１２  透明シート端縁
２１２ａ  第１透明シート端辺
２１２ｂ  第２透明シート端辺
２１２ｃ  第３透明シート端辺
２１２ｄ  第４透明シート端辺
２２２  表表紙透明シート
２２４  裏表紙透明シート
２２６  背表紙透明シート
２３２  表表紙透明シート接続部
２３４  裏表紙透明シート接続部
２６０  透明シートの外側表面
２６０ａ  表表紙透明シートの外側表面
２６０ｂ  裏表紙透明シートの外側表面
２６０ｃ  背表紙透明シートの外側表面
３００  綴じ具
３１２  綴じ具本体
３１４  リング部
４００  見出し材
４１０  第１変形見出し材
４１２  第１持ち手部
４２０  第２変形見出し材
４２２  第２持ち手部
４３０  第３変形見出し材
４３２  第３基礎部
４３２ａ  第３見出し左端辺
４３２ｂ  第３見出し右端辺
４３２ｃ  抜差し方向被案内上部
４３２ｄ  抜差し方向被案内下部
４３４ａ  左端上方切欠き部
４３４ｂ  左端下方切欠き部
４３６ａ  上端中央切欠き部
４３６ｂ  下端中央切欠き部
４３８  第３見出し折曲げ線
４４０  第４変形見出し材
４４０ａ，４４０ｂ  第３表表紙接続折曲げ線
４５２  第３把持部
５００  複数枚の用紙
６００  溶着型
【図１】
0006367170.tif 000002
【図２】
0006367170.tif 000003
【図３】
0006367170.tif 000004
【図４】
0006367170.tif 000005
【図５】
0006367170.tif 000006
【図６】
0006367170.tif 000007
【図７】
0006367170.tif 000008
【図８】
0006367170.tif 000009
【図９】
0006367170.tif 000010
【図１０】
0006367170.tif 000011
【図１１】
0006367170.tif 000012
【図１２】
0006367170.tif 000013
【図１３】
0006367170.tif 000014
【図１４】
0006367170.tif 000015
【図１５】
0006367170.tif 000016
【図１６】
0006367170.tif 000017
【図１７】
0006367170.tif 000018
【図１８】
0006367170.tif 000019
【図１９】
0006367170.tif 000020
【図２０】
0006367170.tif 000021
【図２１】
0006367170.tif 000022
【図２２】
0006367170.tif 000023
【図２３】
0006367170.tif 000024
【図２４】
0006367170.tif 000025
【図２５】
0006367170.tif 000026
【図２６】
0006367170.tif 000027
【図２７】
0006367170.tif 000028
【図２８】
0006367170.tif 000029
【図２９】
0006367170.tif 000030
【図３０】
0006367170.tif 000031
【図３１】
0006367170.tif 000032
【図３２】
0006367170.tif 000033
【図３３】
0006367170.tif 000034
【図３４】
0006367170.tif 000035
【図３５】
0006367170.tif 000036
【図３６】
0006367170.tif 000037
【図３７】
0006367170.tif 000038
【図３８】
0006367170.tif 000039
【図３９】
0006367170.tif 000040
【図４０】
0006367170.tif 000041
【図４１】
0006367170.tif 000042
【図４２】
0006367170.tif 000043
【図４３】
0006367170.tif 000044
【図４４】
0006367170.tif 000045
【図４５】
0006367170.tif 000046
【図４６】
0006367170.tif 000047
【図４７】
0006367170.tif 000048
【図４８】
0006367170.tif 000049
【図４９】
0006367170.tif 000050
【図５０】
0006367170.tif 000051
【図５１】
0006367170.tif 000052